(57)【要約】複数の運動ルーチンが単一システムによって実行され得る、運動システムが提供される。運動システムは、スキー運動、ローイング運動およびウエイトトレーニング／抵抗運動のために用いられ得る。システムは、抵抗アセンブリを収納するハウジングを含む。可動のグリップデバイスおよび／またはキャリッジは、抵抗アセンブリとインタフェースし、その結果として、グリップデバイスまたはキャリッジの運動が抵抗を受ける。運動システムは、隠蔽ハウジングを含み得、その結果として、運動システムは、コンパクトでかつ隠蔽された位置に保管され得る。隠蔽ハウジングは、家具の一品または構造物の一部分であり、スペース節約の利益を提供し得る。
2009543628.tif 000002
【特許請求の範囲】
【請求項１】
ハウジングと、
該ハウジング内に配置される抵抗アセンブリと、
該ハウジング内に配置される張力調整部材であって、該張力調整部材は、該抵抗アセンブリとインタフェースし、第１の位置と第２の位置との間で可動である、張力調整部材と
を備える、運動器具であって、
該抵抗アセンブリは、該張力調整部材の第１の位置に対応する第１の形状と該張力調整部材の第２の位置に対応する第２の形状とを有し、
該抵抗アセンブリは、該第１の形状において該張力調整部材に第１の力を、そして第２の形状において該張力調整部材に第２の力を加えるように構成され、該第１の力は該第２の力とは異なる大きさを有する、運動器具。
【請求項２】
前記張力調整部材に連結されたグリップデバイスをさらに備えている、請求項１に記載の運動器具。
【請求項３】
前記抵抗アセンブリは、張力伝達部材と該張力伝達部材に事前に負荷をかけるように構成されるスプリングとを含み、前記張力調整部材は、該張力伝達部材の一部分と接触し、その結果として、該張力伝達部材はＹ形の構成である、請求項２に記載の運動器具。
【請求項４】
前記張力調整部材に取り外し可能に連結されたキャリッジをさらに備えている、請求項１に記載の運動器具。
【請求項５】
前記抵抗アセンブリは、張力伝達部材と該張力伝達部材に事前に負荷をかけるように構成されるスプリングとを含み、前記張力調整部材は、該張力伝達部材の一部分と接触し、その結果として、該張力伝達部材はＸ形の構成である、請求項４に記載の運動器具。
【請求項６】
前記張力調整部材は、前記抵抗アセンブリに含まれる張力伝達部材と接触する接触面を含み、該接触面は、該張力調整部材に取り付けられたプーリに含まれる、請求項１に記載の運動システム。
【請求項７】
前記抵抗アセンブリは、張力伝達部材と該張力伝達部材において張力を事前に負荷をかけるように構成されるスプリングとを含み、該スプリングに調整機構が連結され、その結果として、該事前の負荷が調整され得る、請求項１に記載の運動システム。
【請求項８】
前記調整機構に連結され、前記スプリングの事前の負荷を遠隔で調整するように構成されたコントローラをさらに備えている、請求項７に記載の運動システム。
【請求項９】
前記スプリングは、回転可能なサポートアセンブリに連結された第１の端部と前記調整機構に連結された第２の端部とを有するねじりスプリングである、請求項７に記載の運動システム。
【請求項１０】
前記ねじりスプリングの第１の端部は、リンケージによって前記回転可能なサポートに連結される、請求項９に記載の運動システム。
【請求項１１】
前記張力伝達部材は、前記回転可能なサポートアセンブリ上に配置されるディスクに連結される、請求項９に記載の運動システム。
【請求項１２】
前記張力伝達部材は、前記回転可能なサポートアセンブリ上に配置されるカムに連結される、請求項９に記載の運動システム。
【請求項１３】
ハウジングと、該ハウジング内に配置された抵抗アセンブリと、該ハウジング内に配置された張力調整部材とを含む運動器具であって、該張力調整部材は、該抵抗アセンブリとインタフェースし、第１の位置と第２の位置との間で可動であり、該抵抗アセンブリは、該張力調整部材の第１の位置に対応する第１の形状と該張力調整部材の第２の位置に対応する第２の形状とを有し、該抵抗アセンブリは、該第１の形状において該張力調整部材に第１の力を、そして第２の形状において該張力調整部材に第２の力を加えるように構成され、該第１の力は該第２の力とは異なる大きさを有する、運動器具と、
該運動器具を受容するような大きさである空洞を画定する隠蔽ハウジングと
を備える、一体化運動システムであって、
該運動器具が保管の構成であるとき、該運動器具は該空洞内に配置される、
運動システム。
【請求項１４】
前記張力調整部材に連結されたグリップデバイスをさらに備えている、請求項１３に記載の運動システム。
【請求項１５】
前記抵抗アセンブリは、張力伝達部材と該張力伝達部材に張力を事前に負荷するように構成されるスプリングとを含み、前記張力調整部材は、該張力伝達部材の一部分と接触し、その結果として、該張力伝達部材はＹ形の構成である、請求項１４に記載の運動システム。
【請求項１６】
前記張力調整部材に取り外し可能に連結されたキャリッジをさらに備えている、請求項１３に記載の運動システム。
【請求項１７】
前記抵抗アセンブリは、張力伝達部材と該張力伝達部材に張力に事前に負荷するように構成されるスプリングとを含み、前記張力調整部材は、該張力伝達部材の一部分と接触し、その結果として、該張力伝達部材はＸ形の構成である、請求項１６に記載の運動システム。
【請求項１８】
前記運動器具は、スライド式またはロール式の軌道によって前記隠蔽ハウジングに連結される、請求項１３に記載の運動システム。
【請求項１９】
前記隠蔽ハウジングは、ソファの背もたれ、複数のソファアームおよびベースを含み、前記空洞は、該ソファベースによって少なくとも部分的に画定される、請求項１３に記載の運動システム。
【請求項２０】
前記運動器具を前記隠蔽ハウジングに連結するリンケージ機構をさらに備え、該リンケージ機構は、第１の保管の構成および開放の構成との間で可動である、請求項１９に記載の運動システム。
【請求項２１】
前記隠蔽ハウジングは、ドレッサー本体および少なくとも１つの引出しを含む、請求項１３に記載の運動システム。
【請求項２２】
前記隠蔽ハウジングは、壁パネルを含む、請求項１３に記載の運動システム。
【請求項２３】
前記運動器具は、前記壁パネルの内部面に連結され、該壁パネルが閉鎖の構成であるとき、該運動器具は前記空洞内に配置される、請求項２２に記載の運動システム。
【請求項２４】
前記壁パネルは、閉鎖の構成と開放の構成との間で前記空洞に対してヒンジで動くように構成される、請求項２２に記載の運動システム。
【請求項２５】
前記壁パネルを前記閉鎖の構成に保持するように構成される少なくとも１つのロック部材をさらに備えている、請求項２２に記載の運動システム。
【発明の詳細な説明】
【技術分野】
【０００１】
（関連出願の引用）
２００６年７月１７日に出願の仮特許出願第６０／８３１，７３８号に対する優先権が主張され、該仮特許出願の内容は本明細書に参考として援用される。
【０００２】
（発明の分野）
本発明は、多種類の運動用に構成可能であり得る運動のシステムおよび器具に関する。
【背景技術】
【０００３】
（発明の背景）
トレッドミル（ｔｒｅａｄｍｉｌｌ）、固定自転車（ｓｔａｔｉｏｎａｒｙ  ｂｉｃｙｃｌｅ）、ステアマシン（ｓｔａｉｒ  ｍａｃｈｉｎｅ）、ローイングマシン（ｒｏｗｉｎｇ  ｍａｃｈｉｎｅ）、スキートレーナ（ｓｋｉ  ｔｒａｉｎｅｒ）、ウエイトマシン（ｗｅｉｇｈｔ  ｍａｃｈｉｎｅ）などの多種類の運動装置が存在する。運動することを望む人々は、そのような装置の１つ以上を購入することを選択し得るか、または運動器具が使用可能であり得るジムに行き得る。ジムの運動は、ジムへの行き帰りの移動にかかる過度の時間、混雑、列、営業時間および潜在的な清潔さについての懸念などの様々な欠陥を受ける。
【０００４】
家庭の運動機器は、公知であり、ジムの運動の一部の欠陥に対処して、家での運動の便利さを提供する。しかしながら家庭用運動機器もまた、様々な欠陥を受ける。そのような欠陥の１つは、機器を配置しかつ使用するための過度のスペースを必要とするという心配であり、該過度のスペースは、アパートおよび家に運動機器を配置する望ましさを減少させる。異なる種類の運動用などに１つ以上の運動器械が所望される場合、この欠陥は悪化される。もちろんスペースの制約は、家の運動のみに限定されるのではなく、ジムもまた、その利用可能なスペースに備え付けられ得る運動器械の数および種類においてスペースが制限される。
【０００５】
多くの公知の運動装置の別の欠陥は、それらの装置が特定の種類の運動に特殊化されていることである。例えば、トレッドミルは、ジョギングまたはウォーキングの種類の運動に向けられている。ウエイトすなわちウエイトマシンは、ウエイトトレーニング運動に向けられている。ローイングマシンは、ローイングまたはプリング運動に向けられている。ステアマシンは、クライミング運動に向けられている。クロスカントリースキーマシンは、直線または回転の種類のクロスカントリースキー運動に向けられている。トラバーススキーマシンは、体側対体側（ｓｉｄｅ−ｔｏ−ｓｉｄｅ）の種類のスキー運動に限定される。従って、家で複数の運動を行なうことを望む人は、複数台の運動機器を入手する必要があり、家のスペースをとり得る。広範囲の運動を提供しようと努めるジムは、多くの異なる種類の器械を購入し配置する必要があり、利用可能なスペースも占有する。スペースの制限は別として、複数の器械を据え付けることは、設置に必要な時間、ジム職員の専門的訓練、ユーザに対する習得期間、メンテナンスおよび掃除などの他の欠陥も発生させる。
【発明の概要】
【発明が解決しようとする課題】
【０００６】
従って、比較的にコンパクトであり、家具の下または家具内に保管され得、オプションで２つ以上の種類の運動に用いられ得る運動システムに対するニーズがある。
【課題を解決するための手段】
【０００７】
（発明の概要）
本発明は、比較的にコンパクトな機構を用いて多種類の運動を提供する能力のある運動システムおよび器具を提供する。本発明の一局面において、運動器具は、比較的に薄い輪郭を有するが、それでも２つ以上の種類の運動を可能にする。本発明の別の局面において、運動器具の比較的に薄い輪郭は、運動システムとして、ソファまたはキャビネット引出しなどの家具の中に運動器具を組み込むことを可能にする。本発明のさらなる局面において、運動器具は、トラバーススキー術、ローイングおよび／またはウエイト抵抗トレーニングなどの数種類の運動を、単一のユニットにて行なう。
【０００８】
一実施形態において、概して長方形であるハウジングが提供される。ハウジング内に抵抗アセンブリがあり、該抵抗アセンブリは、ユーザがグリップデバイスまたはキャリッジを動かすとき、抵抗を与える。抵抗アセンブリは、張力変換部材よって所定の形状に構成される張力伝達部材と、事前の負荷の張力を張力伝達部材に提供する、スプリングなどの張力発生部材とを含む。一実施形態において、張力伝達部材はケーブルであり得、張力変換部材はプーリであり得る。
【０００９】
少なくとも１つの張力調整部材が、張力伝達部材とインタフェースし、ユーザによるグリップデバイスまたはキャリッジの動きに応答して、張力伝達部材の形状を変化させる。
【００１０】
キャリッジは、ハウジングの外部に備えられ、平行移動が可能であり、ローイングタイプの運動などの様々な運動において、またはスキータイプの運動のためのフットサポートとして用いられ得る。さらに、平衡運動または往復運動に関してユーザを援助するために用いられ得る、レールまたはサポートなどの追加の構成要素がハウジングに取り付けられることを可能にする、オプションのアタッチメントが提供される。抵抗アセンブリは、運動中、ユーザに提供される抵抗を変化させるように調整され得る。
【００１１】
抵抗アセンブリは、例えば取付けアセンブリなどの張力調整部材の移動の範囲の中立位置を変化させるように調整可能であり得る。例えば、システムの構成は、張力調整部材が移動の範囲の中心の近くに中立位置を有する結果となる。この構成において、張力調整部材がどちらかの方向に移動すると、張力調整部材は、中立位置に張力調整部材を戻すように誘導して作用する抵抗アセンブリによって提供される抵抗に出会う。この構成は、装置がスキー運動器械として用いられるとき所望され得る。システムの構成の別の例示において、張力調整部材は、その移動の範囲の一端部またはその近くに中立位置を有する。この構成は、装置がローイング運動器械として用いられるとき所望され得る。
【００１２】
一実施形態において、グリップデバイスは、器械から延びるプルケーブルに連結され、バーまたはハンドルなどの掴むべきものを含む。この構成は、ウエイトトレーニングにおける使用に所望される。ウエイトトレーニングにおいて、ユーザは、グリップデバイスを引っ張り、抵抗アセンブリからの抵抗を受け得る。
【００１３】
抵抗の量は、調整機構を操作することによって、加えられるばね力を調整することによって、調整可能である。該機構は、調整を容易にするために、オプションでハウジングの外部の少なくとも一部からアクセス可能である。抵抗は、ノブを回転すること、スライダを操作すること、または電子もしくはデジタルのコントローラを操作することなどによって、コントローラを用いて調整される。
【００１４】
運動器具は、一体化運動システムの中に組み込まれ得る。一体化運動システムは、隠蔽ハウジング内に保管されかつ隠蔽され得る運動器具を含む。隠蔽ハウジングは、家具の一品であり得、その結果、運動器具が保管されかつ隠蔽されるとき、運動器具は使用可能なスペースをとらない。例えば、隠蔽ハウジングは、ドレッサーキャビネットであり得、運動器具は、引出しの代わりに、または引き出しの内部に含まれ得る。一実施形態において、運動器具は、動作位置またはその近くにおいてアクセスを容易にするために下部引出しに置かれる。
【００１５】
動作時、運動器具は、隠蔽ハウジング内の保管されかつ隠蔽された位置から外に取り出され、使用され得る。オプションで、運動器具は、リンケージを介して隠蔽ハウジングに接続され、リンケージは運動装置を動作位置に置くために手動で起動されるかまたは電動で駆動される。例えば、運動器具は、ソファ構造に組み込まれ得る。そのような例において、運動器具は、リンケージを用いて折り畳まれてソファから取り出され得るか、もしくはソファ内の空間から持ち上げられ得るか、またはカバーのクッションを取り外すことによって適切な位置で動作され得る。別の例において、運動器具は、壁スペースに置かれ、床の近くかまたは床にヒンジで取り付けられ、運動器具を下方に回転させることによってアクセス可能になる、同様に、運動器具は、別の方法でベッドの下などの小面積に保管され得る。
【００１６】
本発明のこれらおよび他の特徴および利点は、本発明の以下の詳細な説明および添付の図面の検討から理解され、添付の図面において、全体を通じて同様な参照数字は同様な部品を参照する。
【図面の簡単な説明】
【００１７】
【図１】図１は、本発明に従う第１の構成における運動器具の実施形態の斜視図である。
【図２】図２は、本発明に従う第２の構成における図１の運動器具の斜視図である。
【図３】図３は、図１の運動器具の一部分の斜視図である。
【図４】図４は、図１の運動器具の別の部分の斜視図である。
【図５】図５は、図１の運動器具の別の部分の斜視図である。
【図６】図６は、図１の運動器具の別の部分の斜視図である。
【図７】図７は、図６の構成において示される、図１の運動器具の別の部分の斜視図である。
【図８】図８は、図１の運動器具の別の部分の斜視図である。
【図９】図９は、図１の運動器具の一部分の別の斜視図である。
【図１０】図１０は、第２の構成における、図１の運動器具の別の部分の斜視図である。
【図１１】図１１は、第２の構成における、図１の運動器具の別の部分の斜視図である。
【図１２】図１２は、本発明に従う運動器具の別の実施形態の斜視図である。
【図１３】図１３は、本発明に従う運動器具の別の実施形態の斜視図である。
【図１４】図１４は、図１３の運動器具の別の斜視図である。
【図１５】図１５は、図１３の運動器具の一部分の斜視図である。
【図１６】図１６は、図１３の運動器具の別の部分の斜視図である。
【図１７】図１７は、本発明に従う、運動器具の別の実施形態の斜視図である。
【図１８】図１８は、図１７の運動器具の一部分の斜視図である。
【図１９】図１９は、図１７の運動器具の別の部分の斜視図である。
【図２０】図２０は、図１７の運動器具の一部分の下部斜視図である。
【図２１】図２１は、ロックされた位置における継手を含む運動器具の一部分の斜視図である。
【図２２】図２２は、ロックが解かれた位置における継手を含む運動器具の一部分の斜視図である。
【図２３】図２３は、図２１の運動器具の部分の別の斜視図である。
【図２４】図２４は、図２２の運動器具の部分の別の斜視図である。
【図２５】図２５は、図２２の継手の断面図である。
【図２６】図２６は、運動器具が本発明に従う閉鎖の構成においてソファの中に一体化されている一体化運動システムの実施形態の斜視図である。
【図２７】図２７は、開放の構成における図２６の実施形態の別の斜視図である。
【図２８】図２８は、運動器具が本発明に従う開放の構成においてソファの中に一体化されている一体化運動システムの別の実施形態の斜視図である。
【図２９】図２９は、運動器具が本発明に従う閉鎖の構成においてソファの中に一体化されている一体化運動システムの別の実施形態の斜視図である。
【図３０】図３０は、部分的な開放の構成における図２９の実施形態の別の斜視図である。
【図３１】図３１は、開放の構成における図２９の実施形態の別の斜視図である。
【図３２】図３２は、運動器具が本発明に従う閉鎖の構成においてタンスの中に一体化されている一体化運動システムの実施形態の斜視図である。
【図３３】図３３は、開放の構成における図３２の実施形態の斜視図である。
【図３４】図３４は、本発明に従う閉鎖の構成における一体化運動器具の壁取付けの実施形態の斜視図である。
【図３５】図３５は、開放の構成における図３４の実施形態の斜視図である。
【発明を実施するための形態】
【００１８】
（発明の詳細な説明）
以下のパラグラフにおいて、本発明は、添付の図面を参照して例示の目的で詳細に説明される。この説明全体を通して、示される好ましい実施形態および例示は、本発明を制限するものよりもむしろ、代表例として考えられるべきである。本明細書において用いられるように、「本発明」は、本明細書に説明される本発明の実施形態の任意の１つおよび任意の均等物をいう。さらに、この文書全体を通して本発明の様々な局面の言及は、すべての請求される実施形態または方法が言及された局面を含まなければならないということを意味しない。
【００１９】
本発明の多目的運動システムは、概して、隠蔽ハウジングに保管されかつ隠され得る運動器具から組み立てられ、それによって、一体化した運動システムに運動器具を一体化し、該一体化した運動システムは、例えば、家庭の家具の一品の形態であり得る。図１〜図１１は、本発明の局面に従う運動器具１０の実施形態を示す。運動器具１０は、概して、ユーザが単一のコンパクトシステムを用いて様々な運動を成し遂げることを可能にするように組み立てられる。特に、運動器具１０は図１に示されるように構成され得、運動器具１０は、運動器具１０に含まれる抵抗アセンブリによって提供される抵抗に対してグリップデバイス１０７を引くことによって、ユーザがローイング運動またはウエイト抵抗運動を実行することを可能にする。あるいは、運動器具１０は、図２に示されるように構成され得、運動器具１０は、運動器具１０に含まれる抵抗アセンブリによって提供される抵抗に対して横切る方向にキャリッジ１０５をスライドさせることによって、ユーザが滑降スキー運動または類似の運動をまねる運動を実行することを可能にする。本実施形態において、ケーブル構成要素、プーリ構成要素およびスプリング構成要素は、運動中に抵抗を提供するように用いられる抵抗アセンブリを形成するようにアセンブリされる。
【００２０】
ハウジング１２は、運動器具１０の抵抗アセンブリのケーブル構成要素およびスプリング構成要素を収納する。ハウジング１２は、第１の側面パネル１０１、第２の側面パネル１０２、第３の側面パネル１０３、第４の側面パネル１０４、上部カバー１０６およびオプションの下部カバー（図示されていない）によって囲まれる。示されるようにハウジング１２は、第１の側面パネル１０１および第２の側面パネル１０２を有する長方形であり、第１の側面パネル１０１および第２の側面パネル１０２は、概して平行であり、長方形のハウジング１２の最短の側面を形成し得る。第３の側面パネル１０３および第４の側面パネル１０４は、概して平行であり、長方形ハウジング１２の細長い側面を形成し、該長方形ハウジング１２の細長い側面は、ハウジング１２の長手方向軸に平行である。
【００２１】
上部カバー１０６は、好ましくは、ハウジング１２の内部を覆い隠し、快い外観と耐久性のある囲いを提供するように、ハウジング１２の側面パネルによって囲まれる領域全体に広がる。オプションでカバー１０６は、他のハウジング構成要素に対して可動であるように構成され得、その結果、ハウジング１２の内部にアクセスし得る。例えば、カバー１０６は、側面パネル１０１、１０２、１０３もしくは１０４の１つにヒンジで取り付けられるか、またはハウジング１２から取り外し可能であり得る。
【００２２】
好ましい実施形態において、カバー１０６はまた、取り付けられ閉鎖位置にあるとき、１００ポンド〜５００ポンドなどの典型的なユーザの重量を支持するほどに十分に頑丈である。閉じられているとき、カバー１０６は、ハウジング１２の内部へのアクセスを防ぎ、ケーブルおよびスプリングアセンブリの稼動し動く構成要素を保護することを助け、運動中のユーザに対して支持表面を提供する。
【００２３】
連結材（ｃｏｎｎｅｃｔｏｒ）１１８および連結材１１９などのさらなる支持部材は、第３の側面パネル１０３と第４の側面パネル１０４との間に張り渡り、ハウジング１２に対してさらなる支持を提供する。連結材１１８および１１９は、それらが抵抗アセンブリの動作を妨げることなく、抵抗アセンブリの構成要素を取り付けるためにも用いられ得るように、配置される。例えば、抵抗ケーブル１３０などの抵抗アセンブリの張力伝達部材は、連結材１１９の上と下の両方に延び、連結材１１９は、抵抗アセンブリに含まれるプーリ１３２を支持する。
【００２４】
さらにバリア１２６が含まれ、運動器具１０の内部内の構成要素の少なくとも一部分の間の分離を提供し得る。バリア１２６は、内部構成要素間の望ましくない相互作用を防ぎ、装置のメンテナンス中のユーザに保護を付加し得る。バリア１２６はまた、ハウジング自体または連結材１１８および１１９の組合せの剛性を増加させ得る。
【００２５】
抵抗アセンブリは、上部カバー１０６などのハウジング１２の様々な構成要素が取り外されている図３および図４を参照して説明される。概して抵抗アセンブリは、例えば抵抗ケーブル１３０などの張力伝達部材を備えていて、該張力伝達部材は、例えばプーリなどの複数の張力方向変換部材を介して所定の形状で、ハウジング１２を通って延びる。例えば、ねじりスプリング１３５などの張力発生部材は、抵抗ケーブル１３０に連結され、その結果として、抵抗ケーブル１３０は選択された張力を事前に負荷される。少なくとも１つの張力調整部材は、抵抗ケーブル１３０に連結され、抵抗ケーブル１３０に沿った張力調整部材の移動がねじりスプリング１３５によって抵抗ケーブル１３０に加えられる張力における変化をもたらすように構成される。本明細書における用語「プーリ」は、任意の形態の張力方向変換部材またはアセンブリを示すために用いられることに注意されるべきである。
【００２６】
本実施形態において、抵抗ケーブル１３０の第１の端部は、第１のディスク１３１に連結される。抵抗ケーブル１３０は、第１のディスク１３１から、概して第１の側面パネル１０１の方向に取付けアセンブリ１２７に配置された通過プーリ１２８を通過して延びる。取付けアセンブリ１２７は、張力調整部材の例であり、以下により詳細に説明されるように、ハウジング１２に対して可動であって、抵抗ケーブル１３０の形状を変化させる。抵抗ケーブル１３０とプーリ１２８との相互作用は、ハウジング１２の長手方向軸に概して平行な方向から斜めの方向に抵抗ケーブル１３０を向け直し、この場合、抵抗ケーブル１３０は、概して側面パネル１０１と側面パネル１０４との交点に向かって延びる。
【００２７】
抵抗ケーブル１３０は、概してプーリ１２８からプーリ１４７に延び、プーリ１４７は、パネル１０１と側面パネル１０４との交点に隣接して配置される。プーリ１４７は、プーリ１４９に向かって鉛直方向の下方に向けて短い距離で抵抗ケーブル１３０を向け直す。プーリ１４９は、抵抗ケーブル１３０をプーリ１４３に向け直し、プーリ１４３は、張力調整部材の別の例であるアタッチメント１４２上に配置される。
【００２８】
抵抗ケーブル１３０は、アタッチメント１４２のプーリ１４３からプーリ１５０に延び、プーリ１５０は、概して水平であり、側面パネル１０２と側面パネル１０４との交点に概して隣接して配置される。プーリ１５０から、抵抗ケーブル１３０は、側面パネル１０２に概して平行にプーリ１５１に延び、プーリ１５１は、側面パネル１０２と側面パネル１０３との交点に隣接して配置される。抵抗ケーブル１３０は次いで、プーリ１５１からアタッチメント１４２のプーリ１４４に延びる。
【００２９】
抵抗ケーブル１３０は、プーリ１４４から側面パネル１０１と側面パネル１０３との交点に概して隣接して配置されたプーリ１２２に進む。プーリ１２２は、プーリ１２０に向かって鉛直方向の上方に抵抗ケーブル１３０を向け直す。最後に、抵抗ケーブル１３０は、側面パネル１０３から離れるように、プーリ１２０から取付けアセンブリ１２７上に配置されたプーリ１２９に進み、次いで側面パネル１０２の方向に進む。抵抗ケーブル１３０は、第２のディスク１３４において終結する。
【００３０】
プーリ１２０、プーリ１２２、プーリ１４７およびプーリ１４９は、対でハウジング１２に取り付けられ、抵抗ケーブル１３０を鉛直方向に向け直すように構成される。さらに、プーリ１２０および１２２は、それらが互いに対して動くことが可能なように取り付けられる。同様に、プーリ１４７および１４９は、それらが互いに対して動くことが可能なようにハウジング１２に取り付けられる。示されるように、プーリ１２０およびプーリ１２２は、それらが心棒１２１に沿って延びる第１の鉛直軸の周りに互いに対して回転することが可能であるようにハウジング１２に取り付けられる。プーリ１４７およびプーリ１４９は同様に、それらが心棒１４８に沿って延びる第２の鉛直軸の周りに互いに対して回転することが可能であるようにハウジング１２に取り付けられる。
【００３１】
図４に示されるように、抵抗ケーブル１３０は、それが概して２つのレベルを形成するように構成される。例えば、第１のディスク１３１と、プーリ１２８と、プーリ１４７との間に延びる抵抗ケーブル１３０の部分は、第２のディスク１３４と、プーリ１２９と、プーリ１２０との間に延びる抵抗ケーブル１３０の部分と同じ平面にあり、それによって第１のレベルを形成する。第２のレベルは、プーリ１２２と、プーリ１４４と、プーリ１５１と、プーリ１５０と、プーリ１４３と、プーリ１４９との間に延びる抵抗ケーブル１３０の部分によって形成され、これらもまた同じ平面にある。
【００３２】
第１のレベルの抵抗ケーブル１３０は、概して「Ｙ」構成の形をしていて、第２のレベルは、概して「Ｘ」構成の形をしている。より詳細に以下に説明されるように、第１のレベルの抵抗ケーブル１３０は、ローイングトレーニングタイプ運動またはウエイトトレーニングタイプ運動に対する抵抗を提供することに特に良く適しており、一方、第２のレベルは、スキータイプ運動などの、中間の中立位置から反対方向への移動を伴う運動に対して抵抗を提供することに特に良く適している。
【００３３】
抵抗ケーブル１３０は、一端部において第１のディスク１３１に、第２の端部において第２のディスク１３４に接続される。好ましくは、第１のディスク１３１は、第１のディスク１３１とプーリ１２８の接触点との間において抵抗ケーブル１３０が進む経路が、取付けアセンブリ１２７の往復運動に実質的に平行に整列されるように配置される。同様に第２のディスク１３４は、第２のディスク１３４とプーリ１２９の接触点との間において抵抗ケーブル１３０が進む経路が、取付けアセンブリ１２７の往復運動に実質的に平行に整列されるように配置される。
【００３４】
ねじりスプリング１３５は、抵抗ケーブル１３０に事前に負荷をかけ、かつ運動装置１０の使用中に張力調整部材の移動の結果生じる、抵抗ケーブル１３０における増加した張力に反発するために用いられる。ねじりスプリング１３５は、第１のディスク１３１と、第２のディスク１３４と、サポート１３３と、リンケージ１３９と、カプラ１４０と、サポート１５２とから形成される抵抗リンケージを介して抵抗ケーブル１３０に連結される。抵抗リンケージは、抵抗ケーブル１３０における張力をねじりスプリング１３５の端部の回転変位に変換する。特に、抵抗ケーブル１３０が第１のディスク１３１および第２のディスク１３４に対して力を働かせると、サポート１３３が回転し、リンケージ１３９およびカプラ１４０を介してねじりスプリング１３５の端部を回転させ、それによって、抵抗ケーブル１３０における増加した張力の少なくとも一部分に対抗するようにスプリング力を発生する。
【００３５】
第１のディスク１３１および第２のディスク１３４は、サポート１３３に取り付けられる。本実施形態において、第１のディスク１３１および第２のディスク１３４は、サポート１３３に固定して連結され、サポート１３３は、第４の側面パネル１０４および第３の側面パネル１０３に連結され、その結果として、サポート１３３は回転し得る。サポート１３３は、リンケージ１３９およびカプラ１４０によってねじりスプリング１３５に接続される。好ましくは、リンケージ１３９は、サポート１３３に固定して取り付けられ、ピン、ヒンジ、または相対運動を許容する他の種類の接続部を介してカプラ１４０の第１の端部に連結される。
【００３６】
カプラ１４０の第２の端部はアタッチメント１５３に連結され、アタッチメント１５３はサポート１５２上に配置される。カプラ１４０は、サポート１３３の回転がアタッチメント１５３に伝達されるように構成され、それよってアタッチメント１５３を回転させる。サポート１５２は、ハウジング１２の第４の側面パネル１０４と第３の側面パネル１０３との間に配置され、側面パネルに対して回転し得る。側面パネル１０４の近くに位置するサポート１５２の一方の端部は、フランジ１４５における開口部内に配置される。サポート１５２の他方の端部は、側面パネル１０３に連結される。アタッチメント１５３は、側面パネル１０３の近傍においてサポート１５２に付着され、ピン、ヒンジ、または相対運動を許容する他の種類の接続部によってカプラ１４０に連結される。
【００３７】
フランジ１４５は、サポート１５２の端部の周りに配置され、第４のパネル１０４に取り付けられる。フランジ１４５もまた、アタッチメント１４６に連結され、アタッチメントはフランジ１４５の周りに回転し得る。アタッチメント１４６はノブアセンブリ１１６に連結され、その結果として、ノブアセンブリ１１６の調整はアタッチメント１４６の角度位置を変化させる。
【００３８】
ねじりスプリング１３５は、サポート１５２を取り囲む。ねじりスプリング１３５の一方の端部はアタッチメント１４６に取り付けられ、一方、ねじりスプリング１３５の他方の端部は、アタッチメント１５３に取り付けられる。その結果、抵抗ケーブル１３０から、ディスク１３１および１３４、サポート１３３、リンケージ１３９ならびにカプラ１４０を介してアタッチメント１５３に伝達される力は、ねじりスプリング１３５の一方の端部をねじりスプリング１３５の他方の端部に対して回転させる。従って、サポート１３３が抵抗ケーブル１３０の増加した張力により回転させられると、力は、ねじりスプリング１３５に伝達される。その結果として、ねじりスプリング１３５は、歪められ、該歪みに抵抗し、以前の位置にサポート１３３を戻らせるように働く反力を加える。張力調整部材が抵抗ケーブル１３０における張力を増加させるとき、ねじりスプリング１３５によって提供されるスプリング力は、運動器具１０の使用中に抵抗を提供する。
【００３９】
例えば取付けアセンブリ１２７およびアタッチメント１４２などの張力調整部材の移動と、抵抗アセンブリによって提供される抵抗との間の関係が、所望の動作特性を提供するために選択され得ることは理解されるべきである。例えば、関係は、必要に応じて線形または非線形であり得る。例えば、ディスク１３１および１３４は、一定の直径または変化する直径が備えられ、その結果として、抵抗ケーブル１３０とサポート１３３との間に備えられるモーメントアームは、ディスク１３１および１３４の角度方向に基づき変化する。サポート１３３の回転をアタッチメント１５３およびねじりスプリング１３５の回転に伝達するために用いられるリンケージ機構はまた、張力調整部材の運動と抵抗アセンブリによって提供される抵抗との間の任意の所望の関係を提供するように設計され得る。
【００４０】
図１に示されるように、運動器具１０はユーザがローイングタイプ運動およびウエイト抵抗タイプ運動を実行することを可能にするように構成され得る。その構成において、オプションのグリップデバイス１０７は、運動器具１０に含まれ得る。プルケーブル１０８の第１の端部は、永続的または取り外し可能のいずれかでグリップデバイス１０７に取り付けられる。プルケーブル１０８は、グリップデバイス１０７から延び、プーリ１１１によってプーリ１１２に向かって鉛直方向に下方に向け直され、プーリ１１２は、側面パネル１０１を通ってハウジング１２の中にプルケーブル１０８を向け直す。ハウジング１２に入った後、プルケーブル１０８は、取付けアセンブリ１２７上に配置されたプーリ１３６の周りにループし、戻って側面パネル１０１を通ってハウジング１２から出るように向け直される。プルケーブル１０８の第２の端部は、側面パネル１０１の外側表面に配置されたスプール１５５に取り外し可能に連結される。
【００４１】
グリップデバイス１０７は、ユーザがプルケーブルをつかみ、押し、かつ／または引くことを可能にする任意の形態であり得ることは理解されるべきである。さらに、プルケーブルはユーザによるグリップデバイスの移動を伝える任意のデバイスであり得ることも理解されるべきであり、プルケーブルは、例えば、ケーブル、ワイヤ、ベルト、ロープまたは、グリップデバイスと取付けアセンブリ１２７との間の引張り力または圧縮力を伝達することの可能な任意の他の構造であり得る。
【００４２】
取付けアセンブリ１２７は、ハウジング１２の長手方向軸に概ね平行な方向に往復運動するように構成される。本実施形態において、取付けアセンブリ１２７は、ベルト１３７によって吊るされる。特に、ベルト１３７は、閉ループを形成し、プーリ１２４およびプーリ１３２の周りに延びる。取付けアセンブリ１２７は、ベルト１３７に固定して連結され、その結果として、取付けアセンブリ１２７の動きは、ベルト１３７の経路に限定される。取付けアセンブリ１２７は、示されるようにベルト１３７の２つの端部に連結されるか、またはベルト１３７の一部分の上に取り付けられ得ることは理解されるべきである。取付けアセンブリ１２７は、ベルト１３７によって作られるループの限定された部分の範囲を、好ましくはプーリ１２４とプーリ１３２との間の所定の経路に限定されて、平行移動することが理解されるべきである。あるいは、取付けアセンブリ１２７は、必要に応じてベルト１３７に取り付けられるよりはむしろ、軌道に沿って転がるかまたは滑るように構成され得る。
【００４３】
取付けアセンブリ１２７は、プーリ１２８と、プーリ１２９と、プーリ１３６とを支持する。上記のように、プーリ１２８および１２９は、第１のレベルの抵抗ケーブル１３０の一部分に係合し、プーリ１３６は、プルケーブル１０８の一部分に係合する。その結果、取付けアセンブリ１２７は、グリップデバイス１０７と運動器具１０の抵抗アセンブリとの間に力の伝達を提供する。より詳細に以下に論議されるように、ベルト１３７の経路に沿った取付けアセンブリ１２７の移動は、抵抗ケーブル１３０の形状を変化させ、該形状の変化は、抵抗ケーブル１３０の張力の大きさおよび抵抗アセンブリによってグリップデバイス１０７に加えられる抵抗の大きさを変化させる。
【００４４】
プーリ１２８および１２９は、取付けアセンブリ１２７に置かれ、その結果として、それらは、第１のレベルの抵抗ケーブル１３０を「Ｙ」形に導く。特に、プーリ１２８および１２９は、取付けアセンブリ１２７上に位置し、その結果として、プーリ１２８と第１のディスク１３１との間に延びる抵抗ケーブル１３０の一部分およびプーリ１２９と第２のディスク１３４との間に延びる部分が、ハウジング１２の長手方向に概ね平行である。さらに、プーリ１２８と１２９は、それらがプーリ１２０および１４７よりもハウジングの長手方向の中心線に接近するように、置かれる。その結果として、取付けアセンブリ１２７から側面パネル１０１の方向に延びる抵抗ケーブル１３０の部分もまた、側面パネル１０３および１０４に向かって横方向に外側に延びる。
【００４５】
取付けアセンブリ１２７と抵抗ケーブル１３０との相互作用によって形成される第１のレベルの抵抗ケーブル１３０の「Ｙ」形の構成は、取付けアセンブリ１２７が側面パネル１０２の方向に誘導されるようにすることは理解される。特に、抵抗ケーブル１３０の事前の負荷の張力は、概して側面パネル１０２の方向に取付けアセンブリを押しやる。
【００４６】
グリップデバイス１０７を引くことによるなど、ユーザによって取付けアセンブリ１２７を側面パネル１０１の方向へ移動することは、第１のレベルの抵抗ケーブル１３０の形状を変化させ、それによって抵抗ケーブル１３０の張力を増加させ、取付けアセンブリ１２７に側面パネル１０２の方向に加えられる力を増加させる。本明細書において用いられるように、第１のレベルの抵抗ケーブル１３０の「Ｙ」形としての説明は、取付けアセンブリ１２７が側面パネル１０２により接近するように引かれるときには、「Ｖ」形に近づく、第１のレベルの構成を包含することが意図されることはさらに理解される。
【００４７】
上記のように、ベルト１３７は、プーリ１２４およびプーリ１３２の周りにループをなす。プーリ１２４は振り子１２３に回転可能に連結され、振り子１２３は心棒１２５に連結される。心棒１２５は、側面パネル１０１に取り付けられ、２０の内部に向かって延び、振り子１２３の一部分を旋回するように支持し、その結果として、振り子は心棒１２５の端部の周りに回転され得る。振り子１２３はまた、振り子１２３の心棒１２５への旋回接続部から離れた位置においてノブアセンブリ１１３に連結される。ノブアセンブリ１１３は、所定の方向へのノブアセンブリ１１３の回転が振り子１２３を心棒１２５との旋回接続部の周りを回転させるように構成される。振り子の回転は、プーリ１２４とプーリ１３２との間の距離を変化させ、それによってベルト１３７の張力を変化させる。ベルト１３７の張力を変化させることによって、グリップデバイス１０７に加えられる抵抗の大きさが変化させられる。
【００４８】
プーリ１３２はプーリマウント１４１に連結され、プーリマウント１４１は連結材１１９に付着される。プーリマウント１４１は、プーリ１３２がハウジング１２の長手方向軸に平行な軸に沿ってプーリ１２４と概ね整列されるように、連結材１１９上に配置される。本発明の一局面に従って、プーリマウント１４１、プーリ１３２、プーリ１２４およびベルト１３７は、第４の側面パネル１０４と第３の側面パネル１０３とのほぼ中間に配置される。
【００４９】
プーリ１２４および１３２は、第１のディスク１３１がベルト１３７よりも側面パネル１０４に接近し、第２のディスク１３４がベルト１３７より側面パネル１０３に接近するように配置される。さらにプーリ１２４および１３２は、ベルト１３７が第１のディスク１３１および第２のディスク１３４から等距離となるように配置される。
【００５０】
プーリ１３６は、取付けアセンブリ１２７に回転可能に連結される。プーリ１３６は、ハウジング１２の長手方向軸に概ね鉛直である軸の周りに回転するように構成される。例えば、本実施形態において、プルケーブル１０８は、ハウジング１２内で、水平面内に配置されるループを形成する。プーリ１３６の回転軸は、鉛直であり、その結果として、プルケーブル１０８がプーリ１３６と容易に係合し得る。プーリ１３６の回転軸が、水平である必要がないハウジング１２内のプルケーブル１０８の部分の平面に概ね鉛直であることは理解されるべきである。プルケーブル１０８の第１の端部がグリップデバイス１０７に連結され、プルケーブル１０８の第２の端部が取付けアセンブリ１２７に直接に連結される場合のような、他の実施形態がプーリ１３６を省略し得ることはさらに理解される。
【００５１】
取付けアセンブリ１２７の移動の範囲は、限定され得る。例えば、取付けアセンブリ１２７は、スピンドル１３８を含み、スピンドル１３８は、取付けアセンブリ１２７から下方に延びる。スピンドル１３８は、限定部材１５４または連結材１１９などの他の構成要素と接触し、それによって、第２の側面パネル１０２の方向への移動所望の終点において取付けアセンブリ１２７の運動を妨害するように構成され得る。同様に、取付けアセンブリ１２７の運動の範囲は、スピンドル１３８と連結材１１８のような他の物体との間における接触によって、第１の側面パネル１０１の方向への移動の所望の終点において限定され得る。
【００５２】
再び図１を参照すると、鉛直サポート１０９は、側面パネル１０１に連結され、運動器具１０にプーリ１１１を連結するための骨組みを提供する。例示された実施形態において、鉛直サポート１０９は、側面パネル１０１にまたはその近くに取り外し可能に連結され、水平サポート１１０およびプーリ１１１を取り付けるために用いられ得る。本発明の一局面に従って、水平サポート１１０は、コッタピン、ちょうナットまたは他のそのようなデバイスなどを用いて様々な高さで鉛直サポート１０９に取り付けられ得る。従って、プーリ１１１の高さおよび方向は、プルケーブル１０８を介して掛けられる張力の方向を向け直すために、ユーザまたはトレーニングプログラムの範囲に適合され得る。例えば、一部のウエイト抵抗トレーニング運動は、上昇した位置にプーリ１１１を置くことによって実行され得、ローイングタイプの運動は、キャリッジ１０５または上部カバー１０６上の着席位置からユーザが容易にアクセス可能な比較的より低い位置にプーリ１１１を置くことによって促進され得る。
【００５３】
図５〜図７を参照すると、ウエイト抵抗構成またはローイング構成における運動器具１０の動作が説明される。これらの図において、キャリッジ１０５、上部カバー１０６およびバリア１２６は、明快さのために取り外されている。但しそれらの各々は、運動器具１０の通常の動作中、好ましくも適切な場所に置かれている。ユーザがグリップデバイス１０７に引く力を加えると、引張り力はプルケーブル１０８に沿って伝達される。その結果、力は、取付けアセンブリ１２７に加えられ、第１の側面パネルの方向に取付けアセンブリ１２７を移動させるように誘導する。抵抗アセンブリによって提供される抵抗は、取付けアセンブリ１２７の移動を継続させるために必要とする力を増加させる。取付けアセンブリ１２７が第１の側面パネル１０１の方向に移動された後に引く力が減少したときには、取付けアセンブリによって提供される増加した抵抗は、取付けアセンブリ１２７を第２の側面パネル１０２の方向に移動して戻るように誘導する。
【００５４】
図５において、わずかに最小量の力がグリップデバイス１０７に加えられた。この力は、水平の負荷として加えられ、重力に打ち勝ち、グリップデバイス１０７を持ち上げるのに十分であるが、スピンドル１３８が部材１５４と接触している点から取付けアセンブリ１２７を動かすためには、十分ではない。
【００５５】
グリップデバイス１０７に働く水平の引く力が増加すると、図６および図７に示されるように、取付けアセンブリ１２７は第１の側面パネル１０１により近づくように移動させられる。抵抗ケーブル１３０における張力が図５と比較して図６および図７においてより大きくなるが、それは、取付けアセンブリ１２７の移動ならびにプーリ１２８および１２９と抵抗ケーブル１３０との間の相互作用によって引き起こされる、抵抗ケーブル１３０の形状の変化による。特に、抵抗ケーブル１３０は、抵抗ケーブル１３０の長い方の長さが取付けアセンブリ１２７の往復運動の経路に本質的に平行であり、短い方の長さが取付けアセンブリ１２７とプーリ１２０および１４７との間に、より大きい角度で延びるように、強制的に歪められる。対照的に、取付けアセンブリ１２７が第２の側面パネル１０２の方向に移動すると、抵抗ケーブル１３０の張力は減少させられる。
【００５６】
抵抗アセンブリによって提供される抵抗の大きさを調節するための手段が提供され、それによってトレーニングの困難さまたは強度のレベルをユーザがカスタマイズすることを可能にする。グリップデバイス１０７の運動中に抵抗アセンブリによって加えられる抵抗の大きさを変化させる１つの方法は、ノブアセンブリ１１３を調整することである。上記のように、ノブアセンブリ１１３が調整されると、振り子１２３が回転し、このことがプーリ１２４とプーリ１３２との間の相対運動を引き起こす。ベルト１３７がプーリ１２４とプーリ１３２との上を通るループを形成するので、プーリ１２４がプーリ１３２から離れるように遠くに移動させられればさせられるほど、ベルト１３７の張力が大きくなる。
【００５７】
プーリ１３２はオプションで、プーリ１３２が一方向のみに回転することを許容する単方向クラッチを備える。特に、プーリ１３２は、取付けアセンブリ１２７が第２の側面パネル１０２の方向に移動するときには自由に回転するように構成されるが、取付けアセンブリ１２７が第１の側面パネル１０１の方向に移動するときには、回転が妨げられる。この方法で、ノブアセンブリ１１３がベルト１３７の張力を増加するように調整されると、第１の側面パネル１０１の方向に所定の距離だけ取付けアセンブリ１２７を移動させるために、より大きな力がグリップデバイス１０７に加えられなければならない。増加した力が必要であるのは、ベルト１３７を固定プーリ１３２の上を滑らせるためにベルト１３７とプーリ１３２との間に与えられる摩擦に打ち勝たなければならないからである。プーリ１３２は、反対の方向に自由に回転するので、グリップデバイス１０７に加えられる引く力が減少させられるときには、取付けアセンブリ１２７は、第２の側面パネル１０２の方向に移動し、その元の位置に戻り得る。
【００５８】
グリップデバイス１０７の運動中に抵抗アセンブリによって加えられる抵抗の大きさを変化させる別の方法は、ノブアセンブリ１１６を調整することである。上記のように、アタッチメント１４６はノブアセンブリ１１６に連結され、その結果として、ノブアセンブリ１１６の調整がアタッチメント１４６の角度位置を変化させる。ねじりスプリング１３５の端部はアタッチメント１４６に連結されているので、アタッチメント１４６の角度位置を変化させることは、ねじりスプリング１３５によって抵抗ケーブル１３０に加えられる事前の負荷を変化させるために用いられ得る。事前の負荷を増加させることは、抵抗アセンブリによって加えられる抵抗を増加させ、一方、事前の負荷を減少させることは、抵抗アセンブリによって加えられる抵抗を減少させる。
【００５９】
図８を参照すると、運動器具１０の部分図が説明される。本発明の一局面に従って、ノブアセンブリ１１６の１つの端部は側面パネル１０２の外側に配置され、その結果として、ユーザはノブアセンブリ１１６を操作し得る。ノブアセンブリ１１６の一部分は、側面パネル１０２にある開口部を通過し、ノブアセンブリ１１６の第２の端部はアタッチメント１４６に連結される。ノブアセンブリ１１６は、アタッチメント１４６の位置を調整するように構成される。調整は、アタッチメント１４６およびノブアセンブリ１１６の第２の端部にねじ山を備えることによって達成され得る。従って、ノブアセンブリ１１６が回されると、アタッチメント１４６は、ノブアセンブリ１１６の長さに沿って移動する。あるいは、調整は、ピン、ヒンジまたは他の可動機構を用いてアタッチメント１４６にノブアセンブリ１１６を取り付けること、ならびにノブアセンブリ１１６および側面パネル１０２の開口に沿ってねじ山を備えることによって、達成され得る。この調整を達成する他の方法が可能であり、それらの方法が本発明の範囲内に入ることが意図されることは理解される。
【００６０】
図８に描かれる構成において、ノブアセンブリ１１６が抵抗を増加させる方法で調整されると、アタッチメント１４６は、Ａで示される方向にフランジ１４５の周りに回転させられる。ねじりスプリング１３５の一端部はアタッチメント１４６に取り付けられているので、力が、ねじりスプリング１３５に加えられ、ねじりスプリングをＡ方向に回転させるように誘導する。
【００６１】
ここで図９を参照すると、ねじりスプリング１３５がＡ方向に回転するように誘導されると、ねじりスプリング１３５のもう一方の端部に付着されるアタッチメント１５３もまた、アタッチメント１５３がまた付着されるサポート１５２と共に、Ａ方向に回転するように誘導される。図９に示される位置から、Ａ方向へのアタッチメント１５３の動きは、カプラ１４０を介してリンケージ１３９に力を伝達させる。従って、リンケージ１３９は、Ｂ方向に回転するように誘導され、同じ方向へのサポート１３３の対応する回転を引き起こす。明白であるが、サポート１３３およびサポート１５２の回転は、例えば、望ましくない摩擦力を減少させるためにベアリングを用いることによって、促進され得る。
【００６２】
サポート１３３がＢ方向に回転するように誘導されると、第１のディスク１３１および第２のディスク１３４は各々、Ｂ方向に回転するように誘導される。抵抗ケーブル１３０は、両方の端部で第１のディスク１３１および第２のディスク１３４に取り付けられる。従って、第１のディスク１３１および第２のディスク１３４がＢ方向に回転するように誘導されると、抵抗ケーブル１３０の各端部は、側面パネル１０２の方向に引かれ、それによって抵抗ケーブル１３０の張力を増加させ、張力調整部材の運動に対するより大きな抵抗を発生する。従って、より激しいトレーニングが提供され得る。第１ディスク１３１および第２のディスク１３４の直径を増加させることは、張力を抵抗ケーブル１３０に加えるディスク１３１および１３４によって形成されるモーメントアームの長さを増加させることが理解される。
【００６３】
キャリッジ１０５は、ハウジング１２に沿って長手方向に自由に回転するかまたはスライドするように構成され得る。例えば、上部カバー１０６上をキャリッジ１０５が転がることを可能にする車輪またはローラが、キャリッジ１０５に連結され得る。あるいは、第３の側面パネル１０３および第４の側面パネル１０４は、キャリッジ１０５の車輪またはローラを受ける軌道を含み得る。
【００６４】
ウエイトトレーニングに用いられるとき、水平サポート１１０の高さは調整され得る。水平サポート１１０の高さが調整されると、水平サポート１１０とグリップデバイス１０７との間のプルケーブル１０８の長さの対応する調整が生じる。ユーザがこの長さ調整することを可能にするために、スプール１５５の周りに巻きつけられたプルケーブル１０８の部分は変化され得る。従って、プーリ１１１とグリップデバイス１０７との間のプルケーブル１０８の長さが、スプール１５５の周りに巻かれたプルケーブル１０８の部分を変化させることによって変化され得ることは理解されるべきである。好ましい実施形態において、スプール１５５は、プルケーブル１０８の十分な長さを収容するのに十分大きく、その結果として、グリップデバイス１０７は、側面パネル１０１のある点に、または側面パネル１０１に引き込まれ、それにより保管のための運動器具１０の望ましい構成を提供し得る。
【００６５】
図２、図１０および図１１に示されるように、運動器具１０は、ダウンヒルスキー術をまねる運動ような、中立の中間位置から反対方向への移動を必要とする運動をユーザが実行することを可能にするように構成され得る。その構成において、キャリッジ１０５は、ハウジング１２のカバー１０６の上に配置され、ハウジング１２の長手方向軸に概ね平行な経路に沿って往復運動され得る。キャリッジ１０５は、好ましくは、張力調整部材の別の例であるアタッチメント１４２に連結され、その結果として、抵抗アセンブリはハウジング１２に対するキャリッジ１０５の移動に対して抵抗を加えるために用いられ得る。
【００６６】
再び図４を参照すると、アタッチメント１４２は、側面パネル１０４および側面パネル１０３の下に延在する。特許請求される発明の一局面に従って、２つの連結材１１４が、ハウジング１２の外部からアクセス可能であるアタッチメント１４２の端部に備えられる。キャリッジ１０５は、連結材１１４およびアタッチメント１１７を介してアタッチメント１４２に連結される。アタッチメント１４２の各端部は連結材１１４を含むので、キャリッジ１０５とアタッチメント１４２との間で伝えられる力の平衡が生じ、それによって、キャリッジ１０５からアタッチメント１４２に加えられる大きなモーメントの危険性を減少させる。この構成において、キャリッジ１０５が移動されるとき、アタッチメント１４２は移動される。アタッチメント１１７は、キャリッジ１０５の開口部を下方に貫通して連結材１１４の中に入るノブまたはピンなどの、キャリッジ１０５を連結材１１４に連結するための任意の適切なデバイスであり得る。
【００６７】
プーリ１４３およびプーリ１４４は、複数の連結材１１４間でアタッチメントに取り付けられる。プーリ１４３およびプーリ１４４は各々、抵抗ケーブル１３０の第２のレベルの一部分を係合し、抵抗ケーブル１３０を歪め、第２のレベルの概略「Ｘ」形を提供するように構成される。特に、プーリ１４３とプーリ１４４との間の距離は、プーリ１５０とプーリ１５１との間の距離およびプーリ１２２とプーリ１４９との間の距離よりも著しく小さい。
【００６８】
キャリッジ１０５は、ハウジング１２の横の寸法（すなわち、側面パネル１０３から１０４までの間の寸法）よりもわずかに広い横の寸法を有し、下方に延びるキャリッジガイド表面１０５３および１０５４、ならびにキャリッジ上部表面１０５６を含む。キャリッジ１０５は、好ましくは、摩擦を減少させ、その所望の経路に沿ってキャリッジ１０５を導くことを助ける、ガイド表面１０５３および１０５４に取り付けられるオプションのガイドローラまたは他のデバイスを用いて、側面パネル１０３および１０４と係合する。同様に、オプションのガイドローラまたは他のデバイスが、平衡を保ち滑らかな走行動作を可能にするように、キャリッジ１０５の上部表面１０５６の下に、キャリッジ１０５とハウジング１２の上部カバー１０６との間に取り付けられ得る。
【００６９】
バランスサポート１１５がオプションで、側面パネル１０３または側面パネル１０４のいずれかの端部にまたはその近くに取り外し可能に連結される。バランスサポート１１５は、多くの他の構成要素の場合のように、任意の他の適切な位置に置かれ得ることは理解される。例えば、バランスサポート１１５は、後部の側面パネル１０３のいずれかの端にまたはその近くに配置され得る。同様に別の実施形態において、バランスサポートは用いられないか、または代わりに、ユーザはバランスを助け得るスキーポールを保持する。
【００７０】
図１１は、スキー運動用に構成されるが、明快にするためにカバー１０６が取り外された状態で示される運動器具１０を示す。但しこの構成要素は、通常の使用中好ましくも、適切な所に置かれる。この位置において、キャリッジ１０５は、側面パネル１０１の方に移動され、側面パネル１０１と側面パネル１０２との間のほぼ正中線にある、アタッチメント１４２の中立位置から離れている。キャリッジ１０５の位置は、ユーザが力を加えることによってキャリッジ１０５を移動させた位置を表す。
【００７１】
図１１に示されるように、スキータイプの運動用に運動器具１０を使用中、取付けアセンブリ１２７のスピンドル１３８は、部材１５４と接触したままであり、取付けアセンブリ１２７は、スキー運動中その位置から移動し離れるように誘導されない。その代わりに、アタッチメント１４２は、側面パネル１０１と側面パネル１０２との間の経路に沿ってキャリッジ１０５と共に前後に往復運動する。
【００７２】
再び図４を参照すると、抵抗ケーブル１３０とアタッチメント１４２との間の相互作用および抵抗ケーブル１３０の第２のレベルの概略「Ｘ」形により、アタッチメント１４２は、外部の力が作用するまで、中央の中立静止位置の方に促されることは当業者によって理解される。その位置は、抵抗ケーブル１３０の張力によりアタッチメント１４２に反対方向に作用する力が等しい点において生じる。好ましくは、中立静止位置の方向に、プーリ１４３からプーリ１４９までの距離がプーリ１４３からプーリ１５０までの距離と同じであり、プーリ１４４からプーリ１２２までの距離がプーリ１４４からプーリ１５１までの距離と同じである位置に置かれる。
【００７３】
ユーザがスキー運動を実行しているときのように、キャリッジ１０５がこの中立静止位置から移動させられると、抵抗ケーブル１３０によって加えられるままのアタッチメント１４２上の力は、不平衡となり、アタッチメント１４２を中立位置に戻すように誘導する回復力を加える。アタッチメント１４２が中立位置からさらに移動すると、回復力は増加する。従って、ユーザがキャリッジ１０５上で側面から側面に移動するときには、強度が変化する回復力がキャリッジ１０５の運動に対抗するように作用し、それによってトレーニングプログラムのための抵抗を提供する。グリップデバイス１０７はスキー用に使用されないので、取付けアセンブリ１２７は、スキー運動中は、静止のままであり得る。
【００７４】
スキー運動用に運動器具１０を構成するときには、ユーザは、ノブアセンブリ１１６を調整することによって抵抗を調整し得る。上記のように、ノブアセンブリ１１６を調整することは、抵抗ケーブル１３０の事前の負荷の張力を変化させ、該事前の負荷の張力は、中立位置からキャリッジ１０５と一緒にアタッチメント１４２が移動することに抵抗するように、アタッチメント１４２に対して作用する。
【００７５】
運動器具１０は、保管に便利なように部分的に分解され得る。これに関してプルケーブル１０８は、上記のように引き込まれ得る。同様に、鉛直サポート１０９および水平サポート１１０は、取り外し可能であり、スキーサポート１１５と共に、運動器具１０の内部空間内に保管され得る。これらの構成要素が取り外され保管されるときには、運動器具１０は、箱に似た形状有し、約１６００ｍｍの長さ、約６００ｍｍの幅、および約１８０ｍｍの高さを有し得る。
【００７６】
キャリッジ１０５が、所望の運動に従って、ハウジング１２に対して任意の所望の方向に移動するか、または静止するように構成され得ることは理解されるべきである。再び、ローイングトレーニングまたはウエイトトレーニング用に用いられるとき、運動器具１０は、好ましくはキャリッジ１０５が連結材１１４から切り離されるように構成される。従って、キャリッジ１０５は自由に移動し得、一方、アタッチメント１４２は中立位置に静止したままである。運動器具１０がローイングトレーニングまたはウエイトトレーニング用に用いられるとき、ユーザによって加えられる力は取付けアセンブリ１２７を移動させ、アタッチメント１４２はほぼ静止のままである。
【００７７】
本明細書に説明される任意の運動器具は、コンピュータ制御を含むように修正され得る。例えば、図１２は、スキー装置として使用するように構成されている運動器具１４を示す。運動器具１４は、アジャスタ１８２と通信する電子的またはデジタルのコントローラ１８０を含み、アジャスタ１８２は、内部かまたは示されるように外部に配置され得る。アジャスタ１８２は、前述のノブアセンブリ１１３および１１６の機能性を提供するために用いられる。特に、オプションの電動アジャスタ１８２は、上記のものと類似の原理を用いて、抵抗を増加または減少させるために用いられる。従って、運動器具１４上で運動する人は、器具から降りて手動でノブを調整する必要なく、コントローラ１８０によって、器具の抵抗を増加または減少させ得る。
【００７８】
当業者は、本発明が様々な実施形態および構成において実施され得ることを理解する。例えば、運動器具１０は、例えば抵抗ケーブル１３０などの張力伝達部材を備える抵抗アセンブリを含み、該張力伝達部材は、上記のように第１のレベルおよび第２のレベルを有する経路をたどる。他の実施形態は、スキー術、ローイング、およびウエイトトレーニングのための運動装置を備え得、該運動装置において、抵抗アセンブリは単一のレベルで構成される張力伝達部材を含む。
【００７９】
ここで図１３〜図１６を参照すると、本発明に従う運動器具２０の別の実施形態が説明され、運動器具２０において張力伝達部材は単一のレベルで構成される。運動器具２０は、スキー運動、ローイング運動およびウエイトトレーニング用に用いられ得る。運動器具２０は、第１の側面パネル２０１と、第２の側面パネル２０２と、第３の側面パネル２０３と、第４の側面パネル２０４と、第１のカバー２０６と、第２のカバー２１７とを含むハウジング２２を備える。カバー２０６は、側面パネル２０３に旋回可能に取り付けられ、その結果として、ハウジング２２は、ユーザによって選択的に開放および閉鎖され得る。
【００８０】
サポート２６０は、ハウジング２２の内部に配置され、カバー２０６が閉じられているときカバー２０６に対する支持を提供する。サポート２６０は、好ましくは、側面パネル２０３および２０４に連結され、補足の支持ポイントを提供することによって、カバー２０６に強度を提供する。使用中カバー２０６に加えられる重量は、サポート２６０によって支持され得、サポート２６０は、地面または床に置かれているハウジング２２の側面パネル２０３および２０４ならびにカバー２１７に力を伝える。
【００８１】
カバー２０６は、磁石２６２、留め金（ｃｌａｓｐ）、ラッチ、または他の固定機構によって閉鎖位置に固定され得る。これらのデバイスは、運動器具２０が扱われているときにカバー２０６の不慮の開放を防ぐことを助けるように作用する。器具の移動および／またはカバー２０６の開放をさらに容易にするために、ハウジング２２は、ハンドルとして用いられ得る１つ以上の開口部２６４を備える。
【００８２】
ハウジング２２は、運動器具２０に備えられている抵抗アセンブリを収納する。本実施形態において、抵抗アセンブリは、単一レベルを形成する例えば抵抗ケーブル２３０などの張力伝達部材を含む。ユーザは、抵抗ケーブル２３０の形状を変更し得、その結果として、抵抗ケーブル２３０は、所望の運動に従って「Ｙ」形の形状または「Ｘ」形の形状に構成され得る。
【００８３】
上記の運動器具１０の取付けアセンブリ１２７に類似している取付けアセンブリ２２７は、抵抗ケーブル２３０とインタフェースし、抵抗ケーブル２３０の構成に従ってハウジングの側面の方向かまたは中間の中立位置に向かってバイアス力を加えられる。示されるように、取付けアセンブリ２２７は、一対のプーリの周りに閉ループを形成するベルト２３７に取付けられ、その結果として、取付けアセンブリ２２７は、往復運動の経路に沿って移動され得る。
【００８４】
抵抗ケーブル２３０の第１の端部は、第１の偏心部材２３１に付着され、部分的に偏心部材２３１の周囲に沿って配置される。抵抗ケーブル２３０は側面パネル２０３と概ね平行にプーリ２４７に延び、プーリ２４７はアタッチメント２５８を介してサポート２１８に取り付けられる。
【００８５】
抵抗ケーブル２３０の経路はプーリ２４７によってプーリ２２８の方に向き直され、プーリ２２８は取付けアセンブリ２２７に付着される。抵抗ケーブル２３０はプーリ２２８からプーリ２４９に伸び、プーリ２４９はアタッチメント２５６を介してサポート２１９に取り付けられる。
【００８６】
抵抗ケーブル２３０はプーリ２４９によってプーリ２５０に向け直され、プーリ２５０はサポート２３３に取り付けられる。カバー２１７に対するプーリ２４９と２５０との高さの差は、抵抗ケーブル２３０が、抵抗ケーブル２３０の他の部分を妨害することなく、ハウジング２２を横切るように向けられることを可能にする。好ましくは、プーリ２４９は、水平面から傾けられ、その結果として、抵抗ケーブル２３０が概ね下方にプーリ２５０に向けられる。
【００８７】
プーリ２５０は、抵抗ケーブル２３０をハウジング２２を横切ってプーリ２５１に向け直し、プーリ２５１もまたサポート２３３に取り付けられる。抵抗ケーブル２３０の残りの経路は、前述の部分の実質的に鏡像であることが理解される。特に、抵抗ケーブル２３０はプーリ２５１からプーリ２２２に延び、プーリ２２２はアタッチメント２５７を介してサポート２１９に取り付けられる。抵抗ケーブル２３０は、プーリ２２２から取付けアセンブリ２２７に付着されるプーリ２２９に延び、さらにプーリ２２０に延びる。プーリ２２０は抵抗ケーブル２３０を第２の偏心部材２３４に向け直し、抵抗ケーブル２３０の第２の端部は、第２の偏心部材に付着される。
【００８８】
偏心部材２３１は、旋回点として作用する心棒２２１を介してハウジング２２に回転可能に連結される。偏心部材２３１は、心棒２２１から偏心部材２３１の周囲上の位置までの半径距離が、周囲に沿って変化するように構成される。従って、旋回点から抵抗ケーブル２３０が偏心部材２３１から解かれる位置までの距離は、偏心部材２３１の回転量に従って変化する。
【００８９】
同様に、偏心部材２３４は、旋回点としても作用する心棒２４８を介してハウジング２２に回転可能に連結される。偏心部材２３４はまた、抵抗ケーブル２３０が偏心部材２３４から係合を解かれる位置までの旋回点からの距離が偏心部材２３４の回転量に従って変化するように構成される。
【００９０】
偏心部材２３１および２３４の各々は、ねじりスプリング２３５に連結され、その結果として、偏心部材の回転は、ねじりスプリングの一方の端部の回転移動を、対応するねじりスプリングのもう一方の端部に対して引き起こす。本実施形態において、各偏心部材は、リンケージ２３９およびカプラ２４０を介してねじりスプリング２３５に連結される。
【００９１】
ねじりスプリング２３５は、リンケージ２３９およびカプラ２４０を介してそれぞれの偏心部材に対して力を働かせるように構成される。従って、カプラ２４０が偏心部材２３１および２３４に力を加え、それによって偏心部材２３１および２３４は、それぞれの心棒の周りにモーメントを受ける。
【００９２】
偏心部材２３１および２３４の使用が、抵抗アセンブリによって取付けアセンブリ２２７に加えられる抵抗力と取付けアセンブリ２２７の動きとの間の非線形的関係をもたらし得ることは、当業者によって理解される。これに関して、単純なスプリングの歪みは、スプリングに加えられる力と線形の関係を有する。本明細書および図１３〜図１６に説明される構成において、カプラ２４０、リンケージ２３９ならびに偏心部材２３１および２３４の使用は、力と歪みとの間の非線形的関係をもたらし、このことが運動器具２０を用いる人に対して、より望ましい運動条件を提供し得る。
【００９３】
上に簡単に説明されたように、単一レベルの抵抗ケーブル２３０の形状は、「Ｙ」形の形状と「Ｘ」形の形状との間で変更され得る。その機能は、サポート２１８上にプーリ２２０および２４７を移動可能に取り付けること、ならびにサポート２１９上にプーリ２２２および２４９を移動可能に取り付けることによって提供され得る。特に、プーリ２４７および２２０をそれぞれ支持するアタッチメント２５８および２５９は、サポート２１８に連結され、その結果として、サポート２１８上のアタッチメント２５８および２５９の位置は調整可能である。本実施形態において、アタッチメント２５８および２５９はサポート２１８に対してねじ山をつけられ、その結果として、サポート２１８の回転はアタッチメント２５８および２５９をサポート２１８に沿って互いに反対方向に移動させる。
【００９４】
同様に、プーリ２４９および２２２をそれぞれ支持するアタッチメント２５６および２５７は、サポート２１９に連結され、その結果として、サポート２１９上のそれらのアタッチメントの位置もまた調整され得る。特に、アタッチメント２５６および２５７はサポート２１９に対してねじ山をつけられ、その結果として、サポート２１９の回転はアタッチメント２５６および２５７をサポート２１９に沿って互いに反対方向に移動させる。
【００９５】
アジャスタ２１３および２１６は、プーリの位置を操作するために備えられる。アジャスタ２１３は、サポート２１９に連結され、その結果として、アジャスタ２１３の回転は、サポート２１９に沿ってプーリ２２２および２４９の位置を変化させる。アジャスタ２１６は、サポート２１８に連結され、その結果として、アジャスタ２１６の回転は、サポート２１８に沿ってプーリ２２０および２４７の位置を変化させる。好ましくは、アジャスタ２１３および２１６は、ハウジング２２の外部からアクセス可能であり、その結果として、プーリは、ハウジング２２の内部にアクセスする必要なく、操作され得る。位置インジケータが、アジャスタ２１３、２１６および／または側面パネル２０３の上に含まれ、サポートに沿ったプーリの位置を示し得、または抵抗ケーブル２３０が「Ｙ」または「Ｘ」構成であるかどうかを示し得る。
【００９６】
所望の場合、１つの対のプーリが調整可能であり得、一方、第２の対のプーリが固定されることは理解されるべきである。好ましくは、そのような構成において、プーリがハウジング２２の互いに反対のコーナーに隣接するように、固定されたプーリは間隔を空けて置かれる。そのような構成において、一対のプーリが調整可能であることは、抵抗ケーブルが単一の「Ｙ」構成および単一の「Ｘ」構成に構成され得ることを可能にする。
【００９７】
ローイングまたはウエイトトレーニングに運動器具２０を用いるとき、抵抗ケーブル２３０が「Ｙ」構成であるように、プーリは調整される。使用中、ユーザは、プルケーブル２０８の一端に取り付けられたグリップデバイス（図示されていない）を引っ張り得る。プルケーブル２０８は、側面パネル２０１を貫通して伸び、取付けアセンブリ２２７に付着されたプーリ２３６の周りにループにされる。プルケーブル２０８は次いで、側面パネル２０１を貫通してハウジング２２を出て戻り方向に延び、もう一方の端部は、運動器具２０の外部に位置するスプール２５５に付着される。側面パネル２０１に開口部が備えられ、プルケーブル２０８の通過を可能にする。プルケーブル２０８の余分の長さは、好ましくは側面パネル２０１上の開口部の近くに取り付けられたスプール２５５の周りにプルケーブルを巻くことによって巻き取られ得る。
【００９８】
前述の実施形態と同様に、取付けアセンブリ２２７はベルト２３７上に取り付けられ、ベルト２３７はプーリ２２４および２３２の周りにループされる。ベルト２３７の回転経路の一部分は、取付けアセンブリ２２７の経路を画定する。
【００９９】
ユーザがグリップデバイスを引っ張るとき、引張り力がユーザによってプルケーブル２０８に対して加えられ、このことが、取付けアセンブリ２２７を側面パネル２０１の方向に移動させる。ユーザによって加えられる力が減少すると、取付けアセンブリ２２７は、ねじりスプリング２３５によって加えられる抵抗ケーブル２３０の事前の負荷の張力の影響を受けて、同じ経路に沿って戻る。
【０１００】
プーリ２１１を支持する直立サポート２０９は、運動器具２０がローイングまたはウエイトトレーニングに用いられるとき、水平サポート２１０に取外し可能に係合され得る。プルケーブル２０８は次いで、プーリ２１２からプーリ２１１に延び、その結果として、グリップデバイスは種々の高さで用いられ得る。水平サポート２１０は、プルケーブル２０８が通るプーリ２１２を固定するために用いられ得る。
【０１０１】
ユーザは、ハウジング２２に対する運動器具２０の水平サポート２１０の位置を所望の位置に調整し得る。水平サポート２１０は、取付け部材２５３を介して側面パネル２０１に取り付けられ、その結果として、側面パネル２０１から水平サポートまでの距離は容易に調整され得る。例えば、側面パネル２０１の穴は取付け部材２５３を受けるように構成され得、中央の内腔を含むスリーブ２５４が含まれ得、中央の内腔もまた取付け部材２５３を受ける。スリーブ２５４は、内腔のサイズを減少するように構成され得、その結果として、側面パネル２０１にスリーブが強く締めつけられると、中央の内腔は取付け部材２５３の周りで縮小する。従って、取付け部材がスリーブの内腔内に置かれ、スリーブが側面パネル２０１に強く締めつけられるときには、取付け部材２５３および水平サポート２１０は正しい位置に固定される。別の実施形態において、取付け部材２５３は、ねじ切りされたロッドを備え、該ねじ切りされたロッドは、側面パネル２０１に連結されたねじ切りされたスリーブの中にねじ込むように構成される。
【０１０２】
水平サポート２１０は、マウント２７４をさらに備える。マウント２７４は、直立サポート２０９に適合するように選択された所定の距離だけ互いに水平方向に中央線を外して置かれる。従って、運動器具２０が、あるウエイトトレーニングまたは抵抗運動用に用いられるとき、直立サポート２０９はマウント２７４に取り付けられ得、プルケーブル２０８は、プーリ２１２、次いで直立サポート２０９に取り付けられるプーリ２１１の周りを通り得る。一部の実施形態において、直立サポートは、プーリ２１１の高さが所定の範囲内において選択されることを可能にするさらなる調整機能を有し得る。
【０１０３】
運動器具２０がローイング装置として用いられるとき、ローイング構成のさらなる特徴は、ハウジング２２上の自由転がりシートとしてのキャリッジ２０５の使用を含む。さらに、水平サポート２１０はフットサポートとして用いられ得る。
【０１０４】
図１３に示されるように、スキー運動用に運動器具２０を構成するために、システムは、取付けアセンブリ２２７が好ましくは取付けアセンブリ２２７の往復運動経路の中央点またはその近くにある中立の安定した位置を有するように構成される。このことは、抵抗ケーブル２３０が「Ｘ」構成となるように、プーリの位置を調整することによって達成され得る。「Ｘ」構成において、抵抗ケーブル２３０によって取付けアセンブリ２２７に対して作用する力は、静止時かつ取付けアセンブリ２２７が中間の中立位置にあるとき、平衡が保たれる。直立サポート２０９もまた、側面パネル２０３に連結され得、その結果として、ユーザは、運動中、安定のために直立サポート２０９を掴み得る。
【０１０５】
さらに、カバー２０６の上に沿って移動するように構成されるキャリッジ２０５は、連結材２１４を介して取付けアセンブリ２２７に連結され、その結果として、抵抗アセンブリはキャリッジ２０５の動きに対する抵抗を提供する。連結材２１４は、ピン、ねじ、またはキャリッジ２０５を取付けアセンブリ２２７に連結する他の構成要素であり得る。取付けアセンブリ２２７は、好ましくはハウジング２２内に収納される。その結果として、連結材２１４は、示されるようにカバー２０６に含まれるスロットを貫通して延びるように構成され得るか、または、以下により詳細に説明されるように、取付けセンブリ２２７は、キャリッジ２０５が取り付けられ得るようにハウジング２２の外側に向かって左右に延びる部分を含み得る。
【０１０６】
使用中、ユーザは、往復運動の経路に沿ってキャリッジ２０５を動かす。キャリッジ２０５は取付けアセンブリ２２７に連結されているので、取付けアセンブリ２２７はまたキャリッジ２０５の経路に沿って動かされ、取付けアセンブリ２２７と抵抗ケーブル２３０との間の相互作用はその動きに抵抗する。さらに、抵抗ケーブルが「Ｘ」構成となるようにプーリが調整されるので、取付けアセンブリ２２７は、ハウジングのほぼ中心にある中立位置に向かってバイアス力を加えられる。その結果として、中立位置から側面パネル２０１または側面パネル２０２のいずれかの方向へのキャリッジ２０５の移動は、抵抗アセンブリの抵抗ケーブル２３０によって抵抗される。
【０１０７】
取付けアセンブリ２２７を中立位置に戻すように作用する抵抗ケーブル２３０によって加えられる力は、中立位置からの取付けアセンブリ２２７の移動の増加と共に増加する。そのような方法で、ユーザは、キャリッジ２０５の体側対体側の運動に対する抵抗を受け、それによって、スキー運動の機械的作用を提供する。
【０１０８】
図１３に示されるように、キャリッジ２０５は、カバー２０６におけるスロットを介して取付けアセンブリ２２７とインタフェースする。しかしながら、別の実施形態において、キャリッジ２０５は、前述の実施形態のアタッチメント１４２と同様に、取付けアセンブリ２２７から左右に外側に延びるアタッチメントを介して取付けアセンブリ２２７に連結され得る。その結果として、カバー２０６を貫通するスロットは必要ではなく、このことはハウジング２２の内部に異物が入る可能性を減少させる。そのような実施形態において、側面パネル２０３および２０４は床から離れるように持ち上げられ、アタッチメントが取付けアセンブリ２２７から側面パネルの下に左右に外側に延びることを可能にし得る。あるいは、側面パネル２０３、２０４は、それらの長さに沿って延びるスロットを含み得、該スロットは、アタッチメントの部分が、床の上での取付けアセンブリ２２７からハウジングから外に延びることを可能にし得る。地面に接近した位置でハウジング２２から左右に外側に延びるアタッチメントを有することが望ましい実施形態においては、抵抗アセンブリは、上下を裏返しにされ得、その結果として、取付けアセンブリ２２７は、床の近くに配置される。
【０１０９】
キャリッジ２０５は、ハウジング２２に沿った移動を容易にするための車輪を備え得る。上記のように、キャリッジ２０５は、運動器具２０がスキー運動用に構成され、取付けアセンブリ２２７に連結されるとき、用いられる。しかしながら、キャリッジ２０５は、自由転がり構成、および任意の所望の運動時に用いられ得ることは理解されるべきである。キャリッジ２０５は、キャリッジ２０５と取付けアセンブリ２２７との間にアタッチメントがないとき、自由転がりであり得る。キャリッジ２０５は、所望により、クッション、パッドまたは他のサポートを含み得る。
【０１１０】
運動器具２０をローイング運動に用いるとき、システムは、取付けアセンブリ２２７が、好ましくは側面パネル２０２に最も近い、取付けアセンブリの往復運動の経路の端部またはその近くに位置する静止位置を有するように、構成され得る。例えば、アジャスタ２１３は、アタッチメント２５６および２５７が互いに比較的接近して動くように操作され得る。好ましい実施形態において、アタッチメント２５６と２５７との間の距離は、プーリ２２２と２４９との間の距離が取付けアセンブリ上のプーリ２２８と２２９との間の距離とほぼ同じくなるように、選択される。アジャスタ２１６もまた、アタッチメント２５８および２５９が互いに離れて動くように操作される。この構成において、プーリ２２０および２４７は、ハウジング２２の内部空間のコーナーの近くに置かれ、一方、プーリ２２２および２４９は中心線の近くに置かれる。
【０１１１】
従って、カバー２０６が開放位置にある状態で見たとき、抵抗ケーブル２３０は、「Ｙ」、または取り付けアセンブリ２２７が側面パネル２０２に隣接しているとき「Ｖ」に似るように構成される。その構成において、抵抗ケーブル２３０によって取り付けアセンブリ２２７に対して作用する力は、その構成要素を側面パネル２０２の方に誘導し、取付けアセンブリの往復運動の経路の端部に取付けアセンブリ２２７を維持することを助ける。
【０１１２】
例えばユーザがグリップデバイスを介してプルケーブル２０８を引くことによって、ユーザが取付けアセンブリ２２７に力を加えるとき、取付けアセンブリ２２７は側面パネ２０１の方向に移動する。このことが起ると、抵抗ケーブル２３０の張力が増加し、それによってねじりスプリング２３５によって加えられる回復力を増加させ、該回復力は、取付けアセンブリ２２７を静止位置の方向に、すなわち、ローイング構成においては側面パネル２０２の方向に、またはスキー構成においては中立位置の方向に誘導する。取付けアセンブリ２２７をその開始位置に戻すように作用する、抵抗ケーブル２３０によって加えられる力は、取り付けアセンブリ２２７の移動の増加と共に増加する。そのような方法において、ユーザは、そのユーザがプルケーブル２０８を引っ張り続けると、運動に対する抵抗を受け得、それによってローイング運動の機械的作用を提供する。
【０１１３】
取付けアセンブリ２２７をその開始位置に戻すように作用する、抵抗ケーブル２３０によって加えられる力は、プーリ２２２と２４９との間の距離およびプーリ２２０と２４７との間の距離を変化させることによって変化され得ることは、当業者によって理解される。プーリが互いに遠ければ遠いほど、取付けアセンブリ２２７の所与の移動に対する回復力は大きくなる。反対に、一対のプーリの各々がもう一方に近づけば近づくほど、所与の移動に対する回復力は小さくなる。好ましくは、各々のプーリ対におけるプーリの位置は、ハウジング２２の中央線に関して対称であり、プーリ２２８および２２９に釣り合った力を提供する。
【０１１４】
ウエイトトレーニングまたは類似の抵抗運動に用いられるときには、プーリは、ローイング運動に類似した方法で配置される。従って、ローイング運動にとって適切であるプーリ構成は、ウエイトトレーニング運動にとっても適切である。運動器具２０がウエイトトレーニングに用いられるときの運動器具２０の構成とローイングに用いられるときの構成との比較における主な相違は、キャリッジ２０５の除去と直立サポート２０９の追加である。キャリッジ２０５を自由に転がるシートとして用いることが望ましいローイング運動と異なり、運動器具２０をウエイトトレーニングに用いるときには固定した表面に座るかまたは立つかのいずれかが望まれ得る。従って、キャリッジ２０５は、ウエイトトレーニング用にハウジング２２から選択的に除去され得る。同様に、直立サポート２０９は、マウント２７４に取り付けられ、プルケーブル２０８が高い位置でプーリ２１１を通ることを可能にし得る。この方法で、ユーザは、上昇位置でプルケーブル２０８の位置を定め、それによってウエイトトレーニング運動における多用性の増加を提供する。
【０１１５】
一実施形態において、ユーザは、運動器具２０の上下を反転することによって運動装置２０の構成を選択し得、その結果として、カバー２０６またはカバー２１７のいずれかが、ハウジング２２の上部表面を形成する。例えば、運動器具２０は、運動器具２０をスキー運動に用いるときには、カバー２０６をハウジング２２の上に置く構成にされ、ローイング運動またはウエイトトレーニング用に装置を用いるときには、カバー２１７をハウジングの上に置くように適応され得る。そのような特徴は、より詳細に以下に論議されるように、単方向クラッチを用いる実施形態において用いられ得る。後者の向きにおいて、ユーザは、運動ルーチンのあいだ、内部抵抗アセンブリによって提供される抵抗に対して、プルケーブル２０８などの張力伝達部材の一端部に取り付けられたグリップデバイス２０７を引っ張り得る。
【０１１６】
オプションで、ベルト２３７を支持するプーリ２３２は、所定の回転方向に運動を制限するように構成され得る。この制限は、図１６に示されるように、クラッチ２７０およびクラッチブレーキ２７２のような単方向クラッチを用いて提供され得る。クラッチ２７０がプーリ２３２と係合しているとき、プーリ２３２は一方向に回転し得、反対方向の回転は制限されるかまたは妨げられる。クラッチ２７０がプーリ２３２から係合を解かれると、プーリ２３２は両方の方向に自由に回転し得る。
【０１１７】
クラッチ２７０は、運動器具２０の向き、すなわち、ハウジング２２がカバー２０６またはカバー２１７のいずれかを上部表面とする向きであるかに応答して、クラッチブレーキ２７２を介して選択的に係合されるかまたは係合を解かれる。運動器具２０がスキー運動用に構成されるときには、クラッチブレーキ２７２は、重力によって加えられる下方への力により一方向に誘導され得、クラッチ２７０の係合を解くように構成される。従って、プーリ２３２は、自由に回転し得、取付けアセンブリ２２７（および、従ってキャリッジ２０５）がクラッチ２７０からの感知可能な抵抗なしに、体側対体側の移動を可能にする。
【０１１８】
反対に、運動器具２０がローイング運動またはウエイトトレーニング運動用に構成されるとき、運動器具２０はスキー構成から上下を反転され得る。そのような向きにおいて、クラッチブレーキ２７２は、重力によって加えられる下方への力により第２の方向に誘導され、クラッチ２７０と係合するように構成される。従って、プーリ２３２は、一方向のみに自由に回転し、取付けアセンブリ２２７が一方向に自由に動くがもう一方の方向には動かないようにし得る。その結果としてベルト２３７は、一方向にプーリ２３２の上をスライドすることを必要とし、それによって、取付けアセンブリ２２７の一方向の運動に対するさらなる抵抗を提供する。従って、システムは、抵抗ケーブル２３０を介して人によって加えられる引張り力に応答する取付けアセンブリ２２７の運動に抵抗するように構成され得るが、しかし一旦その引張り力が減少すると、取付けアセンブリが以前の位置に自由に戻ることを可能にする。
【０１１９】
さらに、プーリ２３２は振り子２２３に取り付けられ得、その結果として、プーリの位置は調整され得る。本実施形態において、プーリ２３２の位置を変化させるノブアセンブリ２２５が備えられている。プーリ２３２の位置を調整することは、ベルト２３７の張力を変化させ、このことは、抵抗アセンブリによって取付けアセンブリ２２７の動き対して加えられる抵抗の大きさを変化させる。従って、ノブアセンブリ２２５を回すことは、取付けアセンブリ２２７の動きに対する抵抗を変化させる。
【０１２０】
運動器具２０が保管され、かつ使用されないとき、直立サポート２０９は、取り外され、運動器具の内部に置かれるか、または以下に論議される隠蔽ハウジングの内部に置かれ得る。内部空間へのアクセスを容易にするために、カバー２０６はヒンジを用いて旋回して開き得る。カバー２０６が閉じられ、そして運動器具２０が保管のために構成されるとき、システムは家具の下に収まり得る。他の実施形態において、運動器具は、以下に説明されるように、家具、壁、または他の家庭用品または構造物と一体化され得る。
【０１２１】
別の実施形態である運動器具３０が、図１７〜図２５に示される。運動器具３０は、第１の側面パネル３０１、第２の側面パネル３０２、第３の側面パネル３０３、第４の側面パネル３０４およびカバー３０６から構成されるハウジング３２を備える。前述の実施形態と同様に、ハウジング３２は、運動中、ユーザに対して抵抗を提供する抵抗アセンブリを収納する内部空間を画定する。本実施形態において、抵抗アセンブリおよびハウジングは、概して上記の運動器具１０の構成と同じ構成を有する。さらに運動器具３０は、スキー運動、ローイング運動およびウエイトトレーニング用に構成され得る。
【０１２２】
図１７に示されるように、運動器具はウエイトトレーニング運動用に構成される。その構成において、ハウジング３２の長手方向の軸に沿って平行移動するように構成されるキャリッジは、取り外され、その結果として、ユーザは、カバー３０６の上に立ち、プルケーブル３０８を介して抵抗アセンブリに連結されるグリップデバイス３０７を引くことによって運動をし得る。
【０１２３】
本実施形態において、抵抗アセンブリは、上記の運動器具１０と概して同一の構造を有する２つのレベルのアセンブリであるが、しかし、プルケーブル３０８の形状は、図２０に示されるように運動器具３０の全体のサイズを減少させるように修正されている。特に、プルケーブル３０８は、グリップデバイス３０７から水平サポート３１０によって支持されるプーリ３１１に延びる。プーリ３１１は、ハウジング３２の内部に置かれるプーリ３１２の方向にプルケーブルを向け直す。プルケーブル３０８は、カバー３０６に含まれる開口部３１７を貫通して延び、プーリ３１２と係合する。プーリ３１２は、側面パネル３０１に隣接するハウジング３２に取り付けられるプーリ３１４にプルケーブル３０８を向け直す。プーリ３１４は、抵抗アセンブリに含まれる取付けアセンブリ（図示されていない）に含まれるプーリ３３６の方向にプルケーブル３０８を向け直す。取付けアセンブリのプーリ３３６は、側面パネル３０１の方にプルケーブル３０８を向け直し、そこでプルケーブル３０８はハウジング３２を出る。
【０１２４】
ハウジング３２から外に延びるプルケーブル３０８の自由端部、すなわち、グリップデバイス３０７を有するアタッチメントの反対にあるプルケーブルの端部は、前述のようなスプールよりもむしろ固定クランプ３５５によって選択的に固定される。固定クランプ３５５は、平行な回転軸の周りに回転するように構成される一対の回転カム３５６を含み、該回転軸は、本実施形態において側面パネル３０１の外側表面に鉛直である。カム３５６は、好ましくは、反対方向に回転するように、バイアス力を加えられ、外表面とプルケーブル３０８との間の摩擦を増加させるように構成される、外表面上の係合機能を含み得る。
【０１２５】
固定クランプ３５５は、プルケーブル３０８の自由端部がハウジング３２の内部の方向に引かれることを防ぐように構成される。例えば、本実施形態において、ユーザがグリップデバイス３０７に力を加えると、プルケーブル３０８の張力が増加する。その増加した張力は、プルケーブル３０８の自由端部をハウジング３２の内部の方に引き込む傾向を有する。プルケーブル３０８とカム３５６との間の摩擦は、プルケーブル３０８が平行移動するとき、カム３５６を回転させる。さらに、カム３５６は、プルケーブル３０８がハウジング３２の内部の方向に平行移動し、カム３５６が回転すると、カム３５６の間の距離が減少し、このことが、カム間のプルケーブル３０８の部分を締めつけるように、構成される。カム３５６がプルケーブル３０８を締めつけると、それらは、プルケーブル３０８の平行移動を制限し、それによって、プルケーブル３０８の自由端部がハウジング３２の内部の中に引き込まれることを防ぐ。
【０１２６】
運動器具３０はまた、抵抗アセンブリによって可動キャリッジまたはグリップデバイス３０７の移動に対して加えられる抵抗の大きさを、ユーザが調整することを可能にする機構を含む。特に、抵抗アセンブリによってグリップデバイス３０７の移動に対して加えられる抵抗をユーザが調整することを可能にする、ノブアセンブリ３１３が含まれる。さらに、可動キャリッジまたはグリップデバイス３０７のいずれかに加えられる抵抗をユーザが調整することを可能にする、ノブアセンブリ３１６が含まれる。ノブアセンブリ３１３および３１６の動作は、運動器具１０に含まれる同じデバイスの動作に類似している。
【０１２７】
直立サポート３０９は、側面パネル３０１に隣接してハウジング３２に連結される。直立サポート３０９は、水平サポート３１０を支持する上部分とフットサポート３８４を支持する下部分とを含む。水平サポート３１０は、直立サポート３０９の上部分を水平に横切って延び、一体化されたプーリ３１１を含む。プーリ３１１はプーリ３１１が水平サポート３１０の長手方向の軸の周りに回転するように水平サポートによって支持される。
【０１２８】
水平サポートはまた、クランプ本体３８６とリリース部材３８７とを含むクランプ部材３８５を含む。本実施形態において、各クランプ本体３８６は、直立サポート３０９の一部分の回りに延びる。リリース部材３８７は、クランプ本体３８６に連結される回転ノブであり、リリース部材３８７を回すことが、選択的にクランプ本体３８６に直立サポート３０９に対する締めつけ力を加えさせ、それによって水平サポート３１０を正しい位置に保持するように構成される。ピン、クイックリリースカムデバイス、ねじなどの任意のクランプデバイスが用いられ得ることが理解されるべきである。
【０１２９】
フットサポート３８４は、直立サポート３０９の下部分に各端部において連結される概ねＣ形の部材である。クランプ部材３８８が、直立サポート３０９にフットサポート３８４を選択的に連結するために用いられる。各クランプ部材３８８は、クランプ本体３８９とリリース部材３９０とを含む。本実施形態において、クランプ本体３８９は、フットサポート３８４の端部を受ける管状部分を含み、リリース部材３９０は、管状部分、フットサポートの端部および直立サポート３０９の開口部を貫通して延びるボルトである。クランプ本体３８９はまた、直立サポートの一部分を受ける弓形表面と、リリース部材３９０と嵌合するクランプサドルとを含む。リリース部材３９０が締めつけられると、直立サポート３０９の一部分は、クランプ本体３８９の弓形表面とクランプサドルとの間でクランプされる。しかしながら、当該分野において公知の任意のクランプ機構が用いられ得ることは理解されるべきである。
【０１３０】
一対のフットレスト３９１がフットサポート３８４に取りつけられ、ユーザが足を快適にのせるための表面を提供する。フットレスト３９１はまた、フットストラップ３９２を含み、その結果として、ユーザは、例えばローイング運動中、フットレスト３９１上の適切な位置にユーザの足をストラップで縛り得る。フットレスト３９１は、フットサポート３８４に連結され、その結果として、フットサポート３８４上の足の位置は、ユーザが快適であるように調整するために変化され得る。
【０１３１】
運動器具３０はまた、スキー術をまねる運動用に構成され得る。上記のように、サポート部材が、例えば、図１１に示されるように、スキー運動中、ユーザにグリップ用表面を提供するためにハウジングに連結され得る。運動器具３０は、ハウジング３２に連結されるスキーポールサポート３９３を含み、ユーザのスキーポールの一部分を受けるための機能を提供し、その結果として、ユーザは、サポート部材よりはむしろ実際のスキー用品を用い得る。
【０１３２】
図１７に示されるように、ポールサポート３９３は、側面パネル３０２に隣接してハウジング３２のコーナーに置かれ、このことは、概ね保管構成と一致する。スキー運動用に運動器具３０を用いるために、平行移動キャリッジがハウジング３２に取り付けられ、抵抗アセンブリに連結され、ポールサポート３９３のうちの１つは、側面パネル３０１に隣接するハウジングのコーナーに移動され、その結果として、両方のポールサポート３９３は、側面パネル３０３または側面パネル３０４のいずれかに隣接するハウジング３２のコーナーに置かれる。
【０１３３】
ポールサポート３９３は、概ねＬ形の部材であり、それは、ハウジング３２のコーナーに含まれる開口部３９５の中に延びる取付け部分３９４と、スキーポール受け入れ部分３９６とを含む。スキーポール受け入れ部分３９６は、ユーザのスキーポール３９８の先端を受けるように構成される開口部３９７を含む。開口部３９７は、スキーポール３９８がサポート３９３に取り付けられたとき傾くことが可能であるようなサイズである。
【０１３４】
スキー構成において、移動キャリッジ３０５は、好ましくはカップリングを介して取付けアセンブリなどの張力調整部材に連結される。図２１〜図２５を参照すると、例示的なカップリング３２０が説明される。カップリング３２０は、概してキャリッジ３０５の一部分に回転可能に連結されるハウジング３２２を含む。ハウジング３２２は、図２１に示されるロック位置と、図２２に示されるアンロック位置との間を選択的で回転され得る。
【０１３５】
ハウジング３２２は開口部３２４を含み、該開口部は、ハウジング３２から横に延びる取付けアセンブリ上に含まれるロックタブ３２６を受けるように構成される。キャリッジ３０５の移動方向の開口部３２４の長さは、カップリング３２０がロックされているとき、開口部３２４の縁とロックタブ３２６の縁との間に最小の間隙があるように選択され、その結果として、使用中、ロックタブ３２６とハウジング３２２との間の相対運動が最小にされる。
【０１３６】
図２３〜図２５を参照すると、ハウジング３２２は、スプリング３２８およびロックカラー３３０によって、ロック位置またはアンロック位置のいずれかにおいて保持される。スプリング３２８は、２つのアーム３２９を含み、概ねＵ形をしている。スプリング３２８はハウジング３２２の内方向に向けられ、その結果として、アーム３２９はカラー３３０の外側表面上に正反対の方向から半径方向の力を加える。
【０１３７】
カラー３３０は、互いに正反対に位置する一対のファセット（ｆａｃｅｔ）３３２を含む。ファセット３３２は、スプリング３２８のアーム３２９とインタフェースする概して平らな表面であり、ハウジング３２２の緊張緩和位置を提供する。ファセット３３２の表面間の距離は、スプリング３２８が非歪み状態にあるときの、スプリング３２８のアーム３２９の間の寸法と概ね一致する。さらに、カラー３３０の残部の直径は、ファセット３３２の間の距離よりも大きく、その結果として、スプリングがロック位置またはアンロック位置以外の任意の位置にあるとき、アーム３２９は歪められる。
【０１３８】
ハウジング３２２は、スプリング３２８とファセット３３２との間のインタフェースによってロック位置またはアンロック位置のいずれかに保持される。ユーザがハウジング３２２をこれらの緊張緩和位置のうちの１つから回転させることを望むときには、追加のねじり力が加えられなければならない。なぜならスプリング３２８のアーム３２９が、ファセット３３２から離れて回転するために歪められなければならないからである。
【０１３９】
さらに運動器具３０は、器具を所望の位置に転がすために用いられ得る車輪３９９を含む。車輪３９９は、ユーザが所望により器具の位置を定める際に援助する。器具の移動を容易にするために、任意のローラ、車輪または低摩擦部材が取り付けられ得ることは理解されるべきである。
【０１４０】
運動器具のなおも他の実施形態は、ねじりスプリングの使用を省略し、その代わりに弾性部材を備えている１つ以上の張力伝達部材を用い得る。これらの後者の実施形態において、張力調整部材を介してユーザから入力された力により、張力伝達部材がより緩和した位置からより張りつめた位置に延ばされると、増加した抵抗が提供される。
【０１４１】
さらに、上記の実施形態の可動キャリッジは、連結されて完全なキャリッジを形成する複数の構成要素から形成され得ることは理解されるべきである。そのような実施形態において、キャリッジに取り付けられる張力調整部材もまた、連結されて完全な張力調整部材を形成する別個の構成要素から形成され得る。その結果として、構成要素が別個であるとき、キャリッジの第１の部分は、張力調整部材の第１の部分に連結され得、キャリッジの第２の部分は、張力調整部材の第２の部分に連結され得る。ユーザは次いで、キャリッジの一部分を他方とは無関係に移動させ得る。張力調整部材の各部分が所定の経路に沿って移動すると、各部分は、張力伝達部材の形状を変化させ、抵抗アセンブリが張力調整部材の部分の動きに対して抵抗を加える結果をもたらす。そのような実施形態は、クロスカントリースキー術をまねる運動を実行するユーザにとって特に適している。
【０１４２】
さらなる代案として、キャリッジの部分は一対のプルケーブルに連結され得、該一対のプルケーブルの各々は張力調整部材の一部に取り付けられる。そのような実施形態において、キャリッジの一部分が初期位置から動かされると、張力調整部材と張力伝達部材との間の相互作用はキャリッジの部分を初期位置に戻すように誘導する。
【０１４３】
上記の任意の運動器具は手動または電動のレッグレベラーが供給され得、その結果として、床に対するハウジングの角度が変化され得ることもまた理解されるべきである。ハウジングの傾斜または下り勾配の調整可能性が所望され得、その結果として、更なる抵抗を提供するために重力が用いられ得る。例えば、ユーザは、ローイング運動中、ハウジングを傾斜させることを所望し得、その結果として、その運動はさらなる抵抗を提供するために坂を上るようにキャリッジを動かすことを強制される。
【０１４４】
本発明の運動器具は、容易に保管され、または家具物品の中に一体化され得るコンパクトな形式で、ユーザが多数の運動を実行することが可能であるように構成される。図２６〜図３２を参照すると、一体化された運動器具の様々な実施形態が説明される。明らかなように、運動器具は、例えば、ソファ、ドレッサーなどのキャビネットまたはベッドのような家具物品の中に一体化され得る。運動器具はまた、壁またはクロゼットスペースなどの構造物に一体化され得る。本明細書において説明されるように、多数の種類の家具が運動器具を組み込み得ることは理解される。
【０１４５】
図２６〜図３１を参照すると、運動器具がソファの中に一体化される一体化運動システム４００の様々な例示的な実施形態が説明される。一体化運動システム４００は、概して運動器具４０４を隠蔽しかつ保管するために用いられる隠蔽ハウジング４０２を含む。隠蔽ハウジング４０２は、概してソファとして構成され、背もたれ４０６と、アーム４０８と、ベース４１０と、着席クッション４１２とを含む。本実施形態において、背もたれ４０６、アーム４０８およびクッション４１２は、当該分野における公知の任意の方法で構成され得る。運動システム４００は、従来のソファのように、人がシステムの上に座り得るかまたは横たわり得るように構成される。
【０１４６】
しかしながら、ベース４１０は、運動器具４０４を受容しかつ隠蔽するように構成される。図２７を参照すると、ベースは、クッション４１２が取り外されたとき、開かれかつアクセス可能である空洞４１４を提供するように構成される。空洞４１４は、運動器具４０４が空洞４１４の中に下ろされ、運動器具４０４の上にクッション４１２を置くことによって隠蔽され得るようなサイズである。あるいは、運動システム４００は、ユーザがベース４１０から運動器具４０４を取り外すことなく、運動をし得るように構成され得ることは理解されるべきである。
【０１４７】
好ましくは、ベース４１０は、空洞４１４の上に置かれ、クッション４１２の配置のための表面を提供し得る取り外し可能カバー（図示されていない）を含む。カバーは、空洞４１４内に運動器具４０４が存在するかどうかに関わらず、ソファが着席用に構成され得るように用いられ得る。カバーは、取り外し可能であり得るか、またはヒンジで取り付けられ、空洞４１４へのアクセスを提供し得る。
【０１４８】
あるいは、空洞４１４がベース４１０の任意の側面を経由してアクセスされ得るように、アクセスパネル（図示されていない）がまた、または代わりに、備えられ得る。例えば、取り外し可能であるかまたはヒンジで取り付けられたアクセスパネルは、ベース４１０の前部または後部の鉛直な側壁上に含められ得、その結果として、運動器具４０４は、アクセスパネルを開いた後に運動器具を空洞４１４から滑らせて取り出すことによって、隠蔽ハウジング４０２から取り外され得る。さらなる代案として、１つまたは両方のアーム４０８が、運動器具４０４への類似のアクセスを可能にするアクセスパネルを含み得る。
【０１４９】
ベース４１０から運動器具４０４の取り外しを必要とするそれらのシステムにおいて、側面アクセスパネルを提供する利点は、ユーザが空洞４１４から運動器具を持ち上げる必要がないことである。その代わりに、運動器具４０４は、隠蔽ハウジング４０２に対して運動器具４０４を滑らせるかまたは転がすことによって、空洞４１４から取り外され得る。低摩擦レール、ローラまたはキャスタなどを滑らせるかまたは転がすによって器具の平行移動を可能にする、平行移動部材が運動器具４０４に含まれ得ることは理解されるべきである。あるいは、運動器具４０４は、ベース４１０と運動器具４０４との間の相対移動を可能にする滑走軌道または回転軌道を介してベース４１０に連結され得る。
【０１５０】
運動器具４０４は、上記の実施形態のようにコンパクトな保管を提供し、ユーザが多数の運動を実行することを可能にする任意の運動器具であり得る。図２７に示されるように、運動器具４０４は、上記の運動器具１０と実質的に同一である。運動器具は、概して、グリップデバイスまたはキャリッジ４１８を操作するユーザに対して抵抗を提供する抵抗アセンブリを含むハウジング４１６を含む。上記のように、運動器具４０４のハウジング４１６は、保管のために鉛直および／または水平の支持部材および／またはグリップデバイスをハウジング内に受容するようなサイズであり得る。
【０１５１】
図２８に示される一体化運動システム４００の別の実施形態において、運動器具４０４は、リンケージ４２０を介して隠蔽ハウジング４０２に連結され得る。リンケージ４２０は、空洞４１４から運動器具４０４を取り出す際にユーザを援助するように構成される。リンケージは、好ましくは、空洞４１４から運動器具４０４をより容易に持ち上げるために機械的な有用性をユーザに提供するスプリング部材を含む。運動器具４０４は、所望の場合リンケージ４２０から取り外し可能であり得、その結果として、空洞４１４から運動器具４０４を取り出した後に、運動器具４０４は隠蔽ハウジング４０２とは無関係に移動され得ることは理解されるべきである。さらなる実施形態として、リンケージは電動駆動であり得、電子制御が備えられ得、その結果として、運動器具４０４は、電子制御を単に動作させることによって空洞４１４から取り出され得る。
【０１５２】
図２９〜図３１を参照すると、一体化運動システムの別の実施形態が説明される。前述の実施形態と同様に、一体化運動システム４００’は、概してソファとして構成され、運動器具４０４を隠蔽しかつ保管するために用いられる隠蔽ハウジング４０２’を含む。隠蔽ハウジング４０２’は、運動器具４０４を隠蔽することが所望されるときには、隠蔽ハウジング４０２’が運動器具４０４の上に組み立てられ得るように構成される。ユーザが運動を所望するときには、隠蔽ハウジング４０２’は分解され、運動器具４０４から取り外される。隠蔽ハウジング４０２’は、概して、一対の背部材４０６’と、一対のベース部材４１０’と、クッション４１２’とを含む。
【０１５３】
ベース部材４１０’は、結合して空洞４１４’を形成し、空洞４１４’は運動器具４０４およびクッション４１２’を受容するようなサイズであり、クッション４１２’は、運動器具４０４の上部表面に配置される。各ベース部材４１０’は、運動器具４０４の上に別々に置かれ、両方のベース部材４１０’が正しく位置決めされた後に、ベース部材４１０’は、分離しないように連結部材４１５’を用いて連結され得る。例えば、連結部材４１５’は、一片のフックおよびループファスナ材料であり得る。
【０１５４】
本実施形態において、ベース部材４１０’は着席表面を提供する。特に、ベース部材４１０’の着席部分は、緩衝性を提供する弾力性のある材料から形成され得る。さらに、組み立てられたシステム４００’において、クッション４１２’はベース部材４１０’の着席部分の下に配置され、弾力性のある材料から構成され、さらなる緩衝性を提供し得る。あるいは、ベース部材４１０’がクッション４１２’のための支持表面を提供し、その結果として、クッション４１２’がベース部材４１０’の上部に置かれ得るようにベース部材４１０’が構成され得ることは理解されるべきである。さらなる代案として、ベース部材４１０’は、単一のベースユニットによって置き換えられ得るか、または３個以上のベース部材４１０’が提供されかつ結合され、ベースを形成し得る。
【０１５５】
背部材４０６’は、ベース部材４１０’に取り外し可能に連結され、隠蔽ハウジング４０２’の背もたれ部分を提供する。背部材４０６’は、剛性または半剛性の構造として構成され得、好ましくは、弾性のある背もたれ部分を含み得る。背部材４０６’は、１つ以上の連結部材を含み得、その結果として、背部材４０６’は、ベース部材４１０’に連結され得る。背部材４０６’は、フックおよびループタブなどのファスナー４２１’を用いてベース部材４１０’に取り外し可能に連結され得る。
【０１５６】
運動器具４０４は、隠蔽ハウジング４０２’を分解することによってアクセスされ得る。保管の構成において、一体化運動システム４００’は、図２９に示されるように構成され、図２９において、運動器具４０４は、ソファとして組み立てられた隠蔽ハウジング４０２’内に隠蔽される。ユーザが運動器具４０４を用いることを所望するときには、図３０に示されるように、ユーザは、廃部材４０６’を取り外し、ベース部材４１０’を分解する。ベース部材４１０’が分解されかつ取り外された後に、クッション４１２’が取り外される。図３１に示されるように、背部材４０６’の後に、ベース部材４１０’およびクッション４１２’が取り外され、運動器具４０４がアクセス可能となる。
【０１５７】
一体化運動システム５００の別の実施形態が、図３２および図３３を参照して説明される。一体化運動システム５００は、例えばタンス本体５０２、および複数の引出し５０４の隠蔽ハウジングを備える。引出し５０４は、従来の引出しのように保管場所を提供する。運動器具５０６は、引出し５０４の代わりにまたは引出し５０４の内部にドレッサー本体５０２によって画定される空洞５１０の中に配置され得る。好ましい実施形態において、運動器具５０６は、ドレッサータンス本体５０２の下部分に置かれた空洞５１０内に保管されかつ隠蔽され、引出し５０４の正面に似ている外観が、運動器具５０６の側面パネルに取り付けられる。
【０１５８】
運動器具５０６は、滑走軌道または回転軌道５０８によってドレッサー本体５０２に連結され得、その結果として、図３３に示されるように、運動器具５０６は、ユーザによって容易にドレッサー本体５０２から滑り出され得る。運動器具５０６はまた、所望の場合、軌道５０８から取り外され得る。軌道５０８は、ロック、ラッチまたはブレーキ機構を提供することによって、ドレッサー本体５０２に対して運動器具５０６の不用意の移動を防ぐように構成され得る。ドレッサー本体５０２および運動器具５０６は、直接に連結される必要はなく、空洞５１０は、ドレッサー本体５０２の任意の部分に備えられ得ることは理解されるべきである。一旦取り外されると、運動器具５０６は、スキー運動、ローイング運動およびウエイトトレーニング運動を提供するように動作され得る。
【０１５９】
運動器具は、類似した方法で、ベッドフレームの中に組み込まれ得ることは理解されるべきである。特に、ベッドフレームは、上記のもののように、それが運動器具を受容するようなサイズである空洞を画定するように構成され得る。ユーザが運動を所望するときには、運動器具は、空洞から滑らされるかまたは転がされ、そして用いられ得る。
【０１６０】
図３４および図３５を参照すると、一体化運動システム６００は、隠蔽空洞６０６を提供しかつ壁に取り付けられる隠蔽ハウジングと、壁パネル６０２と、運動器具６０４とを含む。運動器具６０４は、直立位置と水平位置との間で旋回するように構成される壁パネル６０２に連結される。壁パネル６０２は、壁６０８などの構造物に備えられる空洞６０６をカバーするように構成される。本実施形態の隠蔽ハウジングは、事前に構成されかつ壁６０８に取り付けられる箱であり得ること、または、壁６０８の一部分が隠蔽ハウジングの一部を形成し得ることは、理解されるべきである。
【０１６１】
壁パネル６０２は、空洞６０６の開口部内に収まるサイズである概して平らな部材である。さらに、壁パネルはヒンジ６０９または他の旋回部材を用いて床に接続され、その結果として、壁パネル６０２は、取り付けられた運動器具６０４が空洞６０６内に隠蔽される直立位置から、運動器具６０４が使用のための位置に置かれる床上の水平位置に、旋回され得る。あるいは、運動器具６０４は、使用の前に壁パネル６０２から取り外され得る。好ましくは、壁パネル６０２はロッキング部材を含み、その結果として、壁パネル６０２は直立位置にロックされ得る。ロッキング部材は、滑りラッチまたは旋回ラッチまたは当該分野において公知の任意の他のロッキング部材であり得る。
【０１６２】
なおもさらなる実施形態において、空洞を囲むためにドアが壁に連結され得、その結果として、ドアは、従来のドアのように開きかつ閉じ、運動器具は、空洞内に分離して取り付けられ得、その結果として、運動器具は直立の隠蔽位置と水平の使用位置の間で移動され得る。そのような実施形態において、運動器具は、その移動を可能にするリンケージに取り付けられ得、リンケージは手動または電動で動作され得る。
【０１６３】
上記の実施形態は、他の家庭用品または構造物に運動器具を組み込む一体化運動システムの例である。この方法で、運動器具は、他の家具の部品および構造物とスペースを共有し得、またはそれらの中に組み込まれ得、それによって、大量の体積を占有しない運動のためのシステムを人に提供する。いくつかの例が上に説明されたが、他の家具の部品または他の構成が同じ結果を達成するために用いられ得ることは理解される。そのようなシステムを本発明の範囲内に含むことは、本発明の目的である。
【０１６４】
かくして、運動システムが提供されることが分かる。限定のためではなく例示の目的のためにこの説明において提示された、好ましい実施形態以外の実施形態によって本発明が実施され得、本発明は以下の特許請求の範囲によってのみ限定されることを当業者は理解する。この説明において論議された特定の実施形態の均等物は、同様に本発明を実施し得ることに注意されたい。
【図１】
2009543628.tif 000003
【図２】
2009543628.tif 000004
【図３】
2009543628.tif 000005
【図４】
2009543628.tif 000006
【図５】
2009543628.tif 000007
【図６】
2009543628.tif 000008
【図７】
2009543628.tif 000009
【図８】
2009543628.tif 000010
【図９】
2009543628.tif 000011
【図１０】
2009543628.tif 000012
【図１１】
2009543628.tif 000013
【図１２】
2009543628.tif 000014
【図１３】
2009543628.tif 000015
【図１４】
2009543628.tif 000016
【図１５】
2009543628.tif 000017
【図１６】
2009543628.tif 000018
【図１７】
2009543628.tif 000019
【図１８】
2009543628.tif 000020
【図１９】
2009543628.tif 000021
【図２０】
2009543628.tif 000022
【図２１】
2009543628.tif 000023
【図２２】
2009543628.tif 000024
【図２３】
2009543628.tif 000025
【図２４】
2009543628.tif 000026
【図２５】
2009543628.tif 000027
【図２６】
2009543628.tif 000028
【図２７】
2009543628.tif 000029
【図２８】
2009543628.tif 000030
【図２９】
2009543628.tif 000031
【図３０】
2009543628.tif 000032
【図３１】
2009543628.tif 000033
【図３２】
2009543628.tif 000034
【図３３】
2009543628.tif 000035
【図３４】
2009543628.tif 000036
【図３５】
2009543628.tif 000037
【国際調査報告】
2009543628.tif 000038
2009543628.tif 000039
2009543628.tif 000040